(57)【要約】【課題】使用者に継続利用を促すことができる価格決定装置、価格決定システム及び価格決定方法を提供すること。【解決手段】価格決定装置は、使用者に関する使用者情報を取得する使用者情報取得部７５５と、使用者の希望商品に関する希望商品情報を取得する希望商品取得部７５６と、取得された使用者情報に基づく使用者の状態に応じて、使用者に提示される希望商品の価格である提示価格を決定する価格決定部７５８と、決定された提示価格を出力する出力部（情報送信部７６２）と、を備える。【選択図】図１５
2016099782.tif 000002
【特許請求の範囲】
【請求項１】
使用者に関する使用者情報を取得する使用者情報取得部と、
前記使用者の希望商品に関する希望商品情報を取得する希望商品取得部と、
取得された前記使用者情報に基づく前記使用者の状態に応じて、前記使用者に提示される前記希望商品の価格である提示価格を決定する価格決定部と、
決定された前記提示価格を出力する出力部と、を備えることを特徴とする価格決定装置。
【請求項２】
請求項１に記載の価格決定装置において、
商品の小売価格、及び、前記使用者の状態に応じた前記商品毎の価格変動情報を記憶する記憶部を有し、
前記価格決定部は、前記希望商品の小売価格と、取得された前記使用者の状態に応じた前記希望商品の前記価格変動情報とに基づいて、前記希望商品の前記提示価格を決定することを特徴とする価格決定装置。
【請求項３】
請求項２に記載の価格決定装置において、
前記使用者情報には、前記使用者により設定された目的を示す目的情報が含まれ、
前記価格変動情報は、前記目的情報に応じて異なることを特徴とする価格決定装置。
【請求項４】
請求項３に記載の価格決定装置において、
前記使用者の状態は、前記使用者情報に含まれる複数の情報のうち、前記目的情報に応じて取得された情報に基づいて取得されることを特徴とする価格決定装置。
【請求項５】
請求項４に記載の価格決定装置において、
前記使用者情報には、それぞれ前記使用者の生体情報、活動情報及び食事情報が含まれ、
前記使用者の状態は、前記目的が健康維持である場合には、前記使用者情報に含まれる前記生体情報、前記活動情報及び前記食事情報に基づいて取得されることを特徴とする価格決定装置。
【請求項６】
請求項４又は請求項５に記載の価格決定装置において、
前記使用者情報には、それぞれ前記使用者の生体情報及び体動情報が含まれ、
前記使用者の状態は、前記目的が運動能力向上である場合には、前記生体情報及び前記体動情報のそれぞれに基づいて取得されることを特徴とする価格決定装置。
【請求項７】
請求項５又は請求項６に記載の価格決定装置において、
前記使用者の生体情報は、前記使用者の脈波に基づく情報を含むことを特徴とする価格決定装置。
【請求項８】
使用者によって使用される情報処理装置と、
請求項１から請求項７のいずれか１項に記載の価格決定装置と、を備え、
前記情報処理装置は、前記価格決定装置から出力された前記提示価格を表示する表示部を有することを特徴とする価格決定システム。
【請求項９】
請求項８に記載の価格決定システムにおいて、
前記情報処理装置は、
前記使用者情報を取得する処理装置側使用者情報取得部と、
前記使用者情報を前記価格決定装置に送信する情報送信部と、を有し、
前記使用者情報には、前記使用者の現在位置を示す位置情報が含まれ、
前記価格決定装置は、
前記位置情報に基づいて、前記使用者の現在位置に近い店舗の取扱商品のうち、前記使用者の状態に応じて前記提示価格が変動する商品である価格変動商品に関する価格変動商品情報を取得する価格変動商品取得部と、
取得された前記価格変動商品情報を、前記情報処理装置に送信する価格変動商品情報送信部と、を有し、
前記表示部は、前記価格決定装置から受信される前記価格変動商品情報を表示することを特徴とする価格決定システム。
【請求項１０】
請求項９に記載の価格決定システムにおいて、
前記価格変動商品取得部は、前記使用者の状態に応じて前記価格変動商品の提示価格を決定し、
前記価格変動商品情報送信部は、前記価格変動商品の提示価格を、前記情報処理装置に送信し、
前記表示部は、それぞれ前記価格決定装置から受信される前記価格変動商品情報と、前記価格変動商品の提示価格とを表示することを特徴とする価格決定システム。
【請求項１１】
請求項８から請求項１０のいずれか１項に記載の価格決定システムにおいて、
前記使用者情報に含まれる前記使用者の生体情報及び体動情報を検出して、前記情報処理装置に送信する検出装置を備えることを特徴とする価格決定システム。
【請求項１２】
商品の価格を決定する価格決定装置により行われる価格決定方法であって、
使用者に関する使用者情報を取得し、
前記使用者の希望商品に関する希望商品情報を取得し、
取得された前記使用者情報に基づく前記使用者の状態に応じて、前記使用者に提示される前記希望商品の価格である提示価格を決定し、
決定された前記提示価格を出力することを特徴とする価格決定方法。
【発明の詳細な説明】
【技術分野】
【０００１】
本発明は、価格決定装置、価格決定システム及び価格決定方法に関する。
【背景技術】
【０００２】
従来、使用者の生体情報及び生活情報を用いて統計処理を行い、当該使用者の日常生活における健康状態を表示したり、使用者の日常生活を改善するためのアドバイスを表示したりする健康管理用情報機器が知られている（例えば、特許文献１参照）。
【０００３】
この特許文献１に記載の健康管理用情報機器は、病気の進行を抑制しようとする者、病気を予防しようとする者、及び、体重管理を行う者等に用いられる。この健康管理用情報機器は、使用者の脈波形、脈拍値、血圧値及び血糖値をそれぞれ測定する検出部を有する。また、健康管理用情報機器は、食事情報、運動情報及び休養情報の３つの項目からなる生活情報が入力されるメニュー画面を表示して、当該生活情報を取得する。そして、健康管理用情報機器は、測定された生体情報、及び、取得された生活情報に対して、選択された統計処理を実行し、当該統計処理の結果に基づく生活支援用のアドバイスを表示する。このようなアドバイスは、食事、運動及び休養の項目毎に表示される。
このような健康管理用情報機器を用いることにより、使用者は自身の目的に沿った効果的なアドバイスを得られる。
【先行技術文献】
【特許文献】
【０００４】
【特許文献１】特開平１０−０５５３９８号公報
【発明の概要】
【発明が解決しようとする課題】
【０００５】
ところで、上記特許文献１に記載の健康管理等情報機器のような健康管理装置や健康管理システムの使用開始当初では、当該装置及びシステムを利用して自身の目的を達成するという動機も強い。しかしながら、使用開始から数ヶ月も経過すると、当該動機も薄れてしまい、提示されたアドバイスを参考にしなくなる等、健康管理装置及び健康管理システムを有効に活用しなくなる者が増加する傾向にある。
このため、利用することによるメリットを使用者に感じさせ、継続利用を促すことができる構成が要望されてきた。
【０００６】
本発明は、上記課題の少なくとも一部を解決することを目的としたものであり、使用者に継続利用を促すことができる価格決定装置、価格決定システム及び価格決定方法を提供することを目的の１つとする。
【課題を解決するための手段】
【０００７】
本発明の第１態様に係る価格決定装置は、使用者に関する使用者情報を取得する使用者情報取得部と、前記使用者の希望商品に関する希望商品情報を取得する希望商品取得部と、取得された前記使用者情報に基づく前記使用者の状態に応じて、前記使用者に提示される前記希望商品の価格である提示価格を決定する価格決定部と、決定された前記提示価格を出力する出力部と、を備えることを特徴とする。
【０００８】
上記第１態様によれば、使用者情報に基づく使用者の状態に応じて、当該使用者の希望商品（使用者が購入を希望する商品）の提示価格が決定され、当該提示価格が出力される。これによれば、例えば、希望商品が使用者の状態を良化させる商品（当該状態を維持する商品を含む）であれば、当該希望商品の提示価格を安くしたり、使用者の状態を悪化させる商品であれば、当該希望商品の提示価格を高くしたりすることができる。従って、使用者の状態を良化させる商品を購入しやすくすることができ、また、当該状態を悪化させる商品を購入しづらくすることができるので、当該使用者の状態を良好に維持できる。
そして、このような価格決定装置が、健康管理装置や健康管理システムに採用されていれば、使用者の状態を良化させる商品の購入に関して金銭的なメリットを使用者に感じさせることができる。従って、当該健康管理装置や健康管理システムの継続利用を使用者に促すことができる。
【０００９】
上記第１態様では、商品の小売価格、及び、前記使用者の状態に応じた前記商品毎の価格変動情報を記憶する記憶部を有し、前記価格決定部は、前記希望商品の小売価格と、取得された前記使用者の状態に応じた前記希望商品の前記価格変動情報とに基づいて、前記希望商品の前記提示価格を決定することが好ましい。
なお、価格変動情報としては、例えば、商品の小売価格に乗算される価格変動率や、割引率及び割増率の他、商品毎の割引額及び割増額が挙げられる。
上記第１態様によれば、価格決定部は、記憶部からそれぞれ取得される希望商品の小売価格、及び、当該希望商品の価格変動情報に基づいて、希望商品の提示価格を決定する。これによれば、使用者の状態に応じた希望商品の提示価格を迅速かつ適切に決定できる。この他、使用者の状態毎に価格変動率を詳細に設定できるので、希望商品が同じ商品でも、現在の使用者の状態に応じた提示価格を適切に出力できる。
【００１０】
上記第１態様では、前記使用者情報には、前記使用者により設定された目的を示す目的情報が含まれ、前記価格変動情報は、前記目的情報に応じて異なることが好ましい。
ここで、希望商品が同じ商品であっても、当該商品が使用者の状態を良化させる場合と、悪化させる場合とが考えられる。例えば、ビタミンＫは、インスリン感受性促進効果が得られるとの説があり、当該ビタミンＫを含む食品は、糖尿病患者にとって状態を良化させる可能性があるものと考えられる。しかしながら、ビタミンＫは抗血液凝固剤の作用を妨げてしまう場合があるため、当該ビタミンＫを含む食品は、脳梗塞を患って当該抗血液凝固剤を服用している患者にとっては状態を悪化させる可能性があると考えられる。
これに対し、上記第１態様では、価格変動情報は、使用者により設定された目的（例えば、糖尿病の症状改善や脳梗塞からのリハビリ）を示す目的情報に応じて異なることにより、使用者の状態及び目的に応じて希望商品の提示価格を決定できる。従って、希望商品の提示価格を適切に決定できる。
【００１１】
上記第１態様では、前記使用者の状態は、前記使用者情報に含まれる複数の情報のうち、前記目的情報に応じて取得された情報に基づいて取得されることが好ましい。
ここで、使用者により設定される目的によっては、使用者の状態を判断する上で参照すべき使用者情報は異なる。例えば、当該目的が運動能力向上である場合には、使用者が実施した運動の運動強度や運動時間を参照して使用者の状態を判断することが考えられる。しかしながら、当該目的がダイエットである場合には、摂取カロリー及び消費カロリーを参照して使用者の状態を判断することが考えられる。
このため、上記第１態様では、使用者の状態は、使用者情報に含まれる複数の情報のうち、使用者により設定された目的に応じて取得された情報に基づいて判断されるので、適切な情報に基づいて使用者の状態を判断できる。従って、使用者の状態を適切に判断できる他、使用者情報に含まれる全ての情報に基づいて使用者の状態が判断される場合に比べて、価格決定装置の処理負担を軽減できる。
【００１２】
上記第１態様では、前記使用者情報には、それぞれ前記使用者の生体情報、活動情報及び食事情報が含まれ、前記使用者の状態は、前記目的が健康維持である場合には、前記使用者情報に含まれる前記生体情報、前記活動情報及び前記食事情報に基づいて取得されることが好ましい。
なお、健康維持には、例えばダイエットが含まれる。
上記第１態様によれば、上記目的が健康維持である場合には、使用者の生体情報、活動情報及び食事情報に基づいて使用者の状態が判断される。これによれば、当該目的に応じて使用者の状態を適切に判断できる。
例えば、食事情報に基づいて摂取カロリーを算出でき、また、生体情報及び活動情報に基づいて消費カロリーを算出できる。そして、摂取カロリーが消費カロリーを上回っており、かつ、希望商品が高カロリー食品である場合には、当該希望商品の提示価格を小売価格より高くすることにより、更なる摂取カロリーの増加を抑制できる。これにより、肥満の軽減を図ることができる。
【００１３】
上記第１態様では、前記使用者情報には、それぞれ前記使用者の生体情報及び体動情報が含まれ、前記使用者の状態は、前記目的が運動能力向上である場合には、前記生体情報及び前記体動情報のそれぞれに基づいて取得されることが好ましい。
上記第１態様によれば、使用者に設定された目的が運動能力向上である場合には、使用者の生体情報及び体動情報に基づいて使用者の状態が判断される。これによれば、目的に応じた使用者の状態の解析を実行できる。
例えば、生体情報として脈波が取得され、体動情報として使用者の体動に伴う加速度変化が取得される場合には、使用者の運動時の運動強度（例えば、カルボーネン法に基づく運動強度）や運動時間が求められる。これら運動強度及び運動時間に基づいて、使用者によって実施された運動の程度を把握できる。このため、例えば、運動強度が比較的高く、比較的長い時間の運動を使用者が実施した場合には、運動能力向上に寄与する商品（例えば、肉類等の食品や健康器具）の提示価格を小売価格より安くすることにより、使用者の目的に則した商品の購入、及び、更なる運動を促すことができる。従って、上記健康管理装置又は健康管理システムの利用を更に促すことができる。
【００１４】
上記第１態様では、前記使用者の生体情報は、前記使用者の脈波に基づく情報を含むことが好ましい。
なお、脈波に基づく情報以外の生体情報としては、血圧、血糖値、体温及び発汗量等が挙げられる。
ここで、脈波に基づく情報としては、脈波形及び脈拍数等が例示される。そして、当該脈拍数及び他の情報から、使用者が実施した運動の運動強度や、使用者の消費カロリー等を推定できる。このように、使用者の生体情報が使用者の脈波に基づく情報を含むことにより、使用者の様々な状態を把握できる。
【００１５】
本発明の第２態様に係る価格決定システムは、使用者によって使用される情報処理装置と、前記価格決定装置と、を備え、前記情報処理装置は、前記価格決定装置から出力された前記提示価格を表示する表示部を有することを特徴とする。
なお、情報処理装置としては、使用者によって使用される端末装置の他、店舗等に設置される端末装置を例示できる。
上記第２態様によれば、上記価格決定装置と同様の効果を奏することができる。この他、情報処理装置が、当該価格決定装置から送信出力された提示価格を表示するので、上記希望商品の提示価格を使用者に確実に提示できる。
【００１６】
上記第２態様では、前記情報処理装置は、前記使用者情報を取得する処理装置側使用者情報取得部と、前記使用者情報を前記価格決定装置に送信する情報送信部と、を有し、前記使用者情報には、前記使用者の現在位置を示す位置情報が含まれ、前記価格決定装置は、前記位置情報に基づいて、前記使用者の現在位置に近い店舗の取扱商品のうち、前記使用者の状態に応じて前記提示価格が変動する商品である価格変動商品に関する価格変動商品情報を取得する価格変動商品取得部と、取得された前記価格変動商品情報を、前記情報処理装置に送信する価格変動商品情報送信部と、を有し、前記表示部は、前記価格決定装置から受信される前記価格変動商品情報を表示することが好ましい。
【００１７】
なお、上記店舗としては、商品を販売する有人店舗の他、自動販売機等の無人店舗も含まれる。また、使用者の現在位置に近い店舗とは、例えば、使用者の現在位置に最も近い店舗や、当該現在位置を中心として所定範囲内の店舗を挙げることができる。
上記第２態様によれば、価格決定装置は、受信された位置情報により示される使用者の現在位置に近い店舗の取扱商品のうち上記価格変動商品の商品情報である価格変動商品情報を情報処理装置に送信する。そして、情報処理装置は、表示部により当該価格変動商品情報を表示する。これによれば、使用者が、現在位置に近い店舗にて取り扱われている上記価格変動商品を把握できる。従って、使用者が店舗を訪問する前、又は、使用者が当該店舗にて商品を購入しようとする前に、価格変動商品を把握できる。
【００１８】
上記第２態様では、前記価格変動商品取得部は、前記使用者の状態に応じて前記価格変動商品の提示価格を決定し、前記価格変動商品情報送信部は、前記価格変動商品の提示価格を、前記情報処理装置に送信し、前記表示部は、それぞれ前記価格決定装置から受信される前記価格変動商品情報と、前記価格変動商品の提示価格とを表示することが好ましい。
上記第２態様によれば、情報処理装置は、価格変動商品の商品情報（価格変動商品情報）の他、当該価格変動商品の提示価格を表示するので、使用者が店舗を訪問する前、又は、使用者が当該店舗にて商品を購入しようとする前に、価格変動商品の提示価格（販売価格）を把握できる。従って、使用者の状態を良化させる商品の購買意欲をより向上させることができる。
【００１９】
上記第２態様では、前記使用者情報に含まれる前記使用者の生体情報及び体動情報を検出して、前記情報処理装置に送信する検出装置を備えることが好ましい。
上記第２態様によれば、検出装置が、使用者の生体情報及び体動情報を検出し、これら生体情報及び体動情報を情報処理装置に送信する。これによれば、実際に検出された使用者の生体情報及び体動情報を用いて、使用者の状態を判断できる。従って、使用者が自身の生体情報及び体動情報を入力する場合に比べて、使用者の状態の判断についての信頼性を向上できる他、これら情報を入力する手間を省略できる。更に、検出装置が、検出された生体情報及び体動情報を情報処理装置に逐次送信する構成であれば、当該情報処理装置、ひいては、価格決定装置が、リアルタイムにて使用者の状態を判断できる。
【００２０】
本発明の第３態様に係る価格決定方法は、商品の価格を決定する価格決定装置により行われる価格決定方法であって、使用者に関する使用者情報を取得し、前記使用者の希望商品に関する希望商品情報を取得し、取得された前記使用者情報に基づく前記使用者の状態に応じて、前記使用者に提示される前記希望商品の価格である提示価格を決定し、決定された前記提示価格を出力することを特徴とする。
上記第３態様によれば、当該価格決定方法を価格決定装置が実行することにより、上記第１態様に係る価格決定装置と同様の効果を奏することができる。
【図面の簡単な説明】
【００２１】
【図１】本発明の一実施形態に係る健康管理システムの構成を示す模式図。
【図２】上記実施形態における検出装置の構成を示すブロック図。
【図３】上記実施形態における検出装置の制御部の構成を示すブロック図。
【図４】上記実施形態における情報処理装置の構成を示すブロック図。
【図５】上記実施形態における情報処理装置の制御部の構成を示すブロック図。
【図６】上記実施形態における使用者情報登録画面の一例を示す図。
【図７】上記実施形態における食事情報登録画面の一例を示す図。
【図８】上記実施形態における店舗端末の構成を示すブロック図。
【図９】上記実施形態における店舗端末の制御部の構成を示すブロック図
【図１０】上記実施形態における自動販売機の構成を示すブロック図。
【図１１】上記実施形態における自動販売機の制御部の構成を示すブロック図。
【図１２】上記実施形態におけるウェブサーバーの構成を示すブロック図。
【図１３】上記実施形態におけるウェブサーバーの制御部の構成を示すブロック図。
【図１４】上記実施形態における管理サーバーの構成を示すブロック図。
【図１５】上記実施形態における管理サーバーの制御部の構成を示すブロック図。
【図１６】上記実施形態における価格決定処理を示すフローチャート。
【図１７】上記実施形態における提示画面の一例を示す図。
【図１８】上記実施形態における価格変動商品送信処理を示すフローチャート。
【図１９】上記実施形態における価格変動商品表示画面の一例を示す図。
【発明を実施するための形態】
【００２２】
以下、本発明の一実施形態を、図面に基づいて説明する。
［健康管理システムの概略構成］
図１は、本実施形態に係る健康管理システム１の構成を示す模式図である。
本実施形態に係る健康管理システム１は、図１に示すように、それぞれ使用者によって使用される検出装置２及び情報処理装置３と、店舗ＳＴにて利用される店舗端末４と、自動販売機５と、ウェブ店舗ＷＳを構成するウェブサーバー６と、管理サーバー７と、を備えて構成される。これらのうち、情報処理装置３、店舗端末４、自動販売機５、ウェブサーバー６及び管理サーバー７は、互いにネットワークＮを介して通信可能に構成されている。
【００２３】
この健康管理システム１では、管理サーバー７は、情報処理装置３から使用者に関する使用者情報を受信して記憶する。また、管理サーバー７は、当該使用者が店舗ＳＴ、自動販売機５又はウェブ店舗ＷＳにて商品（希望商品）を購入しようとする際に、上記使用者情報に基づく使用者の状態に応じて希望商品の価格を調整し、調整後の価格である提示価格を店舗端末４、自動販売機５又はウェブサーバー６に送信して、当該提示価格を使用者に提示させる。このような健康管理システム１では、例えば、使用者の状態を良化させる商品の価格は安くされ、当該使用者の状態を悪化させる商品の価格は高くされる。また、使用者が自身の状態を良化させる行動を実施した場合には商品の価格は安くされ、当該状態を悪化させる行動を実施した場合には商品の価格は高くされる。これにより、健康管理システム１を用いて健康管理を実践することによる金銭的なメリットを使用者に感じさせて、当該健康管理システム１の継続利用を使用者に促している。
【００２４】
以下、健康管理システム１の各構成について説明する。
なお、以下の説明では、図１に示したように、店舗端末４、自動販売機５及びウェブサーバー６を、商品販売装置ＰＳと総称する場合がある。
【００２５】
［検出装置の構成］
図２は、検出装置２の構成を示すブロック図である。
検出装置２は、使用者に装着されるウェアラブル機器として構成され、当該使用者の生体情報、体動情報及び位置情報を検出及び取得し、これら情報を情報処理装置３に送信する。この検出装置２は、図２に示すように、操作部２１、検出部２２、受信部２３、報知部２４、通信部２５、記憶部２６、信号処理部２７及び制御部２８を備え、これらは互いにバスラインＢＬによって接続されている。
【００２６】
［操作部の構成］
操作部２１は、検出装置２の外装ケースに配設された複数のボタンを有し、入力（押下）されたボタンに応じた操作信号を制御部２８に出力する。なお、操作部２１は、ボタンを有する構成に限らず、後述する表示部２４１上に配置されるタッチパネルや、使用者のタップ操作を検出する構成であってもよい。
【００２７】
［検出部の構成］
検出部２２は、生体情報検出部２２１及び体動情報検出部２２２を備える。
生体情報検出部２２１は、制御部２８による制御の下、使用者の生体情報を検出し、当該生体情報を制御部２８に出力する。この生体情報検出部２２１は、脈波、血圧、血糖値、体温及び発汗量等の生体情報を検出する。
体動情報検出部２２２は、制御部２８による制御の下、使用者の体動を示す体動情報を検出し、当該体動情報を制御部２８に出力する。本実施形態では、体動情報検出部２２２は、使用者の体動に伴って変化する加速度信号を体動情報として検出する。なお、体動情報検出部２２２は、加速度に代えて、或いは、加えて、使用者の体動に伴って変化する角速度を検出してもよい。このような体動情報は、後述する使用者情報の活動情報に分類される。
【００２８】
［受信部の構成］
受信部２３は、検出装置２の現在位置を示す位置情報（使用者の現在位置を示す位置情報）を取得する。このような受信部２３は、例えばＧＰＳ（Global Positioning System）等の衛星測位システムに対応し、衛星から受信される電波に基づいて上記位置情報を取得する構成とすることができる。なお、受信部２３は、通信用無線電波を用いて位置情報を算出する構成とすることも可能である。このような受信部２３によって取得された位置情報は、後述する使用者情報の環境情報に含まれる。
【００２９】
［報知部の構成］
報知部２４は、制御部２８による制御の下、使用者に各種情報を報知する。この報知部２４は、表示部２４１、音声出力部２４２及び振動部２４３を有する。
表示部２４１は、液晶等の各種表示パネル及び複数のＬＥＤ（Light Emitting Diode）等の表示手段を有し、制御部２８から入力される情報を表示する。例えば、表示部２４１は、上記検出部２２によって検出された生体情報及び体動情報を表示する。また、表示部２４１は、上記複数のＬＥＤをインジケーターとして機能させ、少なくとも１つのＬＥＤを点灯又は点滅させることにより、生体情報及び体動情報に基づいて算出される運動強度を表示する。
音声出力部２４２は、スピーカー等の音声出力手段を備えて構成され、制御部２８から入力される音声情報に応じた音声を出力する。
振動部２４３は、制御部２８により動作が制御されるモーターを有し、当該モーターの駆動によって発生する振動により、例えば警告を使用者に報知する。
【００３０】
［通信部の構成］
通信部２５は、上記情報処理装置３と通信可能な通信モジュールを有する。この通信部２５は、それぞれ検出及び取得された生体情報、体動情報及び位置情報を情報処理装置３に定期的に送信する。なお、本実施形態では、通信部２５は、近距離無線通信方式により情報処理装置３と無線で通信するが、クレードル等の中継装置を介して情報処理装置３と通信してもよく、或いは、ケーブルを介して情報処理装置３と通信してもよい。更に、通信部２５は、ネットワークＮを介して情報処理装置３等の外部機器と通信してもよい。
【００３１】
［記憶部の構成］
記憶部２６は、フラッシュメモリー等を有する記憶手段により構成されており、制御情報記憶部２６１及び検出情報記憶部２６２を有する。
制御情報記憶部２６１は、検出装置２の動作に必要な各種プログラム及びデータ等の制御情報を記憶している。
検出情報記憶部２６２は、上記検出部２２により検出された生体情報及び体動情報と、上記受信部２３により取得された位置情報と、制御部２８による生体情報及び体動情報の解析結果（例えば脈拍数）と、を記憶する。この検出情報記憶部２６２は、これらの情報を順次記憶し、記憶容量が不足すると、最も先に記憶した情報を新たに取得した情報で上書きする構成とされている。
【００３２】
［信号処理部の構成］
信号処理部２７は、ＤＳＰ（Digital Signal Processor）等の信号処理回路を有し、検出部２２によって検出された生体情報及び体動情報の信号処理を実行する。
例えば、信号処理部２７は、生体情報検出部２２１によって検出された脈波信号から体動情報検出部２２２によって検出された加速度信号に基づく体動ノイズ成分を除去して、拍動信号を得る。そして、信号処理部２７は、当該拍動信号に対してＦＦＴ（高速フーリエ変換：Fast Fourier Transform）等の周波数解析を行い、得られた処理結果（パワースペクトル）を制御部２８に出力する。この処理結果において脈拍と特定される周波数に基づいて、単位時間当たりの脈拍数が計数される。
【００３３】
［制御部の構成］
図３は、制御部２８の構成を示すブロック図である。
制御部２８は、ＣＰＵ（Central Processing Unit）等の処理回路を有し、自律的に、或いは、上記操作部２１から入力される操作信号に応じて、検出装置２の動作を制御する。この制御部２８は、上記処理回路が制御情報記憶部２６１に記憶されたプログラムを実行することで実現される機能部として、図３に示すように、計時部２８１、検出制御部２８２、報知制御部２８３、通信制御部２８４、情報取得部２８５、解析部２８６及び情報送信部２８７を有する。
【００３４】
計時部２８１は、現在日時を計時する。
検出制御部２８２は、上記検出部２２の動作を制御する。例えば、検出制御部２８２は、検出装置２が使用者に装着されていないと判定すると、生体情報検出部２２１による生体情報の検出を停止させ、消費電力を低減させる。
報知制御部２８３は、報知部２４の動作を制御する。例えば、報知制御部２８３は、検出装置２の動作状態、及び、検出部２２による検出結果等を示す表示や音声を含む報知情報を報知部２４に出力して、当該報知情報を報知部２４に報知させる。また、報知制御部２８３は、必要に応じて振動部２４３のモーターを駆動させ、当該モーターの駆動によって発生する振動により、所定の情報を報知させる。
通信制御部２８４は、上記通信部２５の動作を制御する。
【００３５】
情報取得部２８５は、操作部２１、検出部２２、受信部２３、通信部２５及び信号処理部２７から入力される各種信号及び情報を取得する。例えば、情報取得部２８５は、検出部２２から入力される生体情報及び体動情報と、受信部２３から入力される位置情報と、信号処理部２７から入力される周波数解析の処理結果と、を記憶部２６（検出情報記憶部２６２）に記憶させる。
解析部２８６は、生体情報検出部２２１及び体動情報検出部２２２から入力される検出結果を解析し、生体情報及び体動情報を解析する。例えば、解析部２８６は、信号処理部２７から入力される上記周波数解析の処理結果に基づいて、脈拍数を算出する。また、解析部２８６は、生体情報検出部２２１から入力される信号から、血圧、血糖値、体温及び発汗量等を数値化する。そして、解析部２８６は、解析した生体情報及び体動情報を、記憶部２６（検出情報記憶部２６２）に記憶させる。
【００３６】
情報送信部２８７は、通信部２５を介して情報処理装置３との通信が可能な状態であれば、上記検出部２２により検出された情報、解析部２８６による解析結果、及び、受信部２３により取得された位置情報を、当該情報処理装置３に逐次送信する。これにより、検出装置２によって検出及び解析された使用者の生体情報及び体動情報（それぞれ信号を含む）並びに位置情報が、情報処理装置３に取得され、当該情報処理装置３から管理サーバー７に逐次送信される。
なお、情報送信部２８７は、記憶された情報を送信させる入力操作に応じた操作信号が操作部２１から入力された場合や、通信部２５を介して情報処理装置３から当該情報を送信させる操作情報が受信された場合に、検出情報記憶部２６２に記憶された情報を情報処理装置３に送信する構成としてもよい。
以下、これら生体情報、体動情報及び位置情報を検出情報と総称する場合がある。
【００３７】
［情報処理装置の構成］
図４は、情報処理装置３の構成を示すブロック図である。
情報処理装置３は、本発明の情報処理装置の１つであり、使用者により携帯可能なスマートフォン（多機能携帯電話機）、タブレット及びノート型ＰＣ（Personal Computer）等の携帯情報端末により構成される。この情報処理装置３は、検出装置２と通信して、当該検出装置２から上記検出情報を取得し、これら検出情報を含む使用者情報を後述する管理サーバー７に送信する。また、情報処理装置３は、ウェブブラウジング（web browsing）機能を有し、ウェブ店舗ＷＳを構成するウェブサーバー６にアクセスして、当該ウェブ店舗ＷＳのウェブページを閲覧可能に構成されている。
このような情報処理装置３は、図４に示すように、操作部３１、報知部３２、通信部３３、記憶部３４、描画部３５及び制御部３６を備える。
【００３８】
［操作部の構成］
操作部３１は、上記操作部２１と同様に、使用者による入力操作を受け付け、当該入力操作に応じた操作信号を制御部３６に出力する。このような操作部３１は、例えば、情報処理装置３の筐体に設けられた物理キーやタッチパネル等により構成できる他、当該情報処理装置３に有線又は無線で接続されるキーボード及びポインティングデバイス等により構成できる。
【００３９】
［報知部の構成］
報知部３２は、制御部３６による制御の下、使用者に各種情報を報知する。この報知部３２は、表示部３２１及び音声出力部３２２を有する。
表示部３２１は、液晶等の各種表示パネルを有し、後述する描画部３５によって描画された画像を表示する。例えば、このような画像として、ウェブサーバー６から取得されるウェブページや、後述する使用者情報登録画面ＲＳ（図６参照）、食事情報登録画面ＭＳ（図７参照）及び価格変動商品表示画面ＤＳ（図１９参照）が挙げられる。
音声出力部３２２は、スピーカー等の音声出力手段を備えて構成され、制御部３６から入力される音声情報に応じた音声を出力する。
【００４０】
［通信部の構成］
通信部３３は、検出装置２等の外部機器と通信可能な通信モジュールと、上記ネットワークＮ上の外部機器（ウェブサーバー６及び管理サーバー７等）と通信可能な第２通信モジュールとを有し、制御部３６による制御の下、それぞれの外部機器と通信する。なお、各外部機器と通信部３３とが同じ通信方式で通信可能である場合には、通信部３３は、第１通信モジュール及び第２通信モジュールのうち一方を備えていればよい。
【００４１】
［記憶部の構成］
記憶部３４は、情報処理装置３の動作に必要な各種プログラム及びデータを記憶している。このようなプログラムとして、記憶部３４は、例えばＯＳ（Operating System）、ウェブブラウザー及び健康管理アプリケーションを記憶している。この健康管理アプリケーションは、例えば、検出装置２にて検出されて取得される生体情報及び体動情報に基づいて使用者の状態を解析し、健康状態を向上させるアドバイスを使用者に提示する等の処理を実行するアプリケーションである。また、記憶部３４は、上記データとして、例えば上記管理サーバー７に接続するための接続情報（例えば、ＩＰアドレス）や、使用者に割り振られた使用者ＩＤを記憶している。
更に、記憶部３４は、制御部３６による制御の下、通信部３３により検出装置２から受信される検出情報を記憶する。
【００４２】
［描画部の構成］
描画部３５は、制御部３６による制御の下、上記表示部３２１にて表示される画像の画像情報を描画する。例えば、描画部３５は、制御部３６にて実行されるＯＳや各種アプリケーションの実行時画面の画像を描画する他、ウェブサーバー６から取得されるウェブページの画像を描画する。そして、描画部３５は、描画した画像に応じた画像信号を表示部３２１に出力して、当該画像を表示部３２１に表示させる。
【００４３】
［制御部の構成］
図５は、制御部３６の構成を示すブロック図である。
制御部３６は、ＣＰＵ（Central Processing Unit）を備えて構成され、記憶部３４に記憶されたプログラムを実行することにより、情報処理装置３の動作を制御する。このような制御部３６は、ＯＳ実行部３６Ａ及びＡＰ実行部３６Ｂと、を有する。
【００４４】
［ＯＳ実行部の構成］
ＯＳ実行部３６Ａは、記憶部３４に記憶されたＯＳを実行する機能部であり、計時部３６１、報知制御部３６２及び通信制御部３６３を有する。
計時部３６１は、現在時刻を計時する。
報知制御部３６２は、描画部３５を制御して、当該描画部３５にＯＳやアプリケーションの実行時画面の画像を描画させ、当該画像を表示部３２１に表示させる。また、報知制御部３６２は、ＯＳやアプリケーションの実行時に出力させる音声の音声信号を上記音声出力部３２２に出力する。
通信制御部３６３は、通信部３３を制御して、上記検出装置２、ウェブサーバー６及び管理サーバー７と通信する。
【００４５】
［ＡＰ実行部の構成］
ＡＰ実行部３６Ｂは、記憶部３４に記憶されたアプリケーションのうち、操作部３１から入力される操作信号に応じてＯＳ実行部３６Ａにより指示されたアプリケーションを実行する。このＡＰ実行部３６Ｂは、記憶部３４に記憶されたウェブブラウザーが実行されることによって機能するブラウジング実行部３６４と、上記健康管理プログラムが実行されることによって機能する情報取得部３６５、解析部３６６、情報送信部３６７及び提示情報生成部３６８を有する。
【００４６】
ブラウジング実行部３６４は、使用者により入力又は選択されたＩＰアドレスにより示されるウェブサーバー（例えば、ウェブサーバー６）に通信部３３を介してアクセスして、当該ウェブサーバーからウェブページをダウンロードし、当該ウェブページの画像を描画部３５に描画させて表示部３２１に表示させる。この際、ブラウジング実行部３６４は、当該ウェブページに対して使用者により入力された情報を、当該ウェブページを取得したウェブサーバーに送信し、当該ウェブサーバーとの間で情報を送受信する。
このようなウェブページとして、ウェブ店舗ＷＳのウェブページが挙げられ、ブラウジング実行部３６４が送信する情報としては、上記使用者ＩＤや、購入を希望する商品（希望商品）に関する情報が挙げられる。
【００４７】
情報取得部３６５は、本発明の処理装置側使用者情報取得部に相当する。この情報取得部３６５は、通信部３３を介して検出装置２から受信された上記検出情報を取得する他、それぞれ上記健康管理アプリケーションの実行時画面の１つである使用者情報登録画面ＲＳ（図６参照）及び食事情報登録画面ＭＳ（図７参照）に対して入力された情報を取得する。また、通信部３３を介して管理サーバー７から受信される提示情報等を取得する。そして、情報取得部３６５は、取得した各種情報を記憶部３４に記憶させる。
【００４８】
［使用者情報登録画面］
図６は、使用者情報登録画面ＲＳの一例を示す図である。
ここで、報知制御部３６２による制御の下、描画部３５により描画され、表示部３２１に表示される使用者情報登録画面ＲＳについて説明する。
使用者情報登録画面ＲＳは、上記のように、健康管理アプリケーションの実行時画面の１つであり、使用者に関する情報である使用者情報の一部を使用者に入力させる画面である。この使用者情報登録画面ＲＳには、図６に示すように、画面上部に固定表示領域Ｆ１が設定され、画面下部に可変表示領域Ｖ１が設定されている。
【００４９】
固定表示領域Ｆ１の上段には、計時部３６１により計時されている現在日時の時刻が設定される時刻表示領域Ｆ１１が配置されている。また、固定表示領域Ｆ１の下段における左側には、入力されるとメニュー画面（図示省略）に遷移するボタンＦ１２が配置され、右側には、入力されるとヘルプ画面（図示省略）に遷移するボタンＦ１３が配置されている。また、これらボタンＦ１２，Ｆ１３に挟まれた領域には、画面の内容を示すタイトルＦ１４が配置されている。
【００５０】
可変表示領域Ｖ１には、属性情報設定領域Ｖ１１、レセプト情報設定領域Ｖ１２及び目的情報設定領域Ｖ１３が画面上側から下側に向かって順に設定されている他、登録ボタンＶ１４及び戻るボタンＶ１５が設定されている。
属性情報設定領域Ｖ１１は、使用者のプロファイルに関する情報である属性情報を設定するための領域である。この属性情報設定領域Ｖ１１には、年齢入力欄Ｖ１１１、性別選択欄Ｖ１１２、身長入力欄Ｖ１１３、体重入力欄Ｖ１１４、体脂肪率入力欄Ｖ１１５及び居住地域選択欄Ｖ１１６が配置されている。
レセプト情報設定領域Ｖ１２は、使用者の病歴及び薬歴に関する情報であるレセプト情報を設定する領域である。このレセプト情報設定領域Ｖ１２には、それぞれ病歴及び薬歴を入力する画面（図示省略）に遷移するためのボタンＶ１２１，Ｖ１２２が配置されている。そして、当該画面にて入力された病歴及び薬歴は、一時的に記憶部３４に記憶され、後述する登録ボタンＶ１４が入力されると、レセプト情報として登録される。
【００５１】
目的情報設定領域Ｖ１３は、検出装置２及び管理サーバー７と連携する健康管理アプリケーションを利用する使用者の目的を示す目的情報を設定する領域である。この目的情報設定領域Ｖ１３には、当該目的として、「健康維持（ダイエット）」、「運動能力向上」及び「リハビリ」（病中及び病後のリハビリ）を選択可能な選択欄Ｖ１３１〜Ｖ１３３が配置されている他、「リハビリ」が選択された場合に、リハビリの種別を選択する選択画面（図示省略）に遷移するためのボタンＶ１３４が配置されている。このようなリハビリの種別としては、例えば、糖尿病、脳梗塞及び骨折のリハビリ等が挙げられる。
【００５２】
そして、登録ボタンＶ１４が入力されると、上記情報取得部３６５が、上記各設定領域Ｖ１１〜Ｖ１３にて入力された属性情報、レセプト情報及び目的情報を取得して、記憶部３４に記憶（登録）させる。
一方、戻るボタンＶ１５が入力されると、記憶部３４に一時的に記憶されていた内容が破棄され、使用者情報登録画面ＲＳが表示される前に表示されていた画面に遷移される。
【００５３】
［食事情報登録画面］
図７は、食事情報登録画面ＭＳの一例を示す図である。
次に、上記使用者情報登録画面ＲＳと同様にして表示部３２１に表示される食事情報登録画面ＭＳについて説明する。
食事情報登録画面ＭＳは、上記のように、健康管理アプリケーションの実行時画面の１つであり、当該健康管理アプリケーションの実行時に所定の操作が実行されると、表示部３２１に表示される画面である。そして、この食事情報登録画面ＭＳは、使用者情報の一部であり、かつ、使用者の日々の食事内容を示す食事情報を入力させる画面である。
このような食事情報登録画面ＭＳには、図７に示すように、画面上部に上記固定表示領域Ｆ１が設定され、画面下部に可変表示領域Ｖ２が設定されている。
【００５４】
可変表示領域Ｖ２には、当日の日付を示す日付表示欄Ｖ２１と、当日の食事内容が表示される表示欄Ｖ２２と、当日の食事の概要が表示される表示欄Ｖ２３と、詳細設定ボタンＶ２４、簡易設定ボタンＶ２５、登録ボタンＶ２６及び戻るボタンＶ２７と、が配置されている。
【００５５】
これらのうち、表示欄Ｖ２２には、当日のタンパク質（Ｐ）、脂質（Ｆ）、炭水化物（Ｃ）、糖質及び塩分のそれぞれの摂取量が設定される。
また、表示欄Ｖ２３には、当日のそれぞれの食事の開始時刻と、当該食事の摂取カロリー及び糖質量とが設定される。
【００５６】
詳細設定ボタンＶ２４は、使用者が摂った食事のメニュー、食事量及び当該食事の開始時刻を選択可能な選択画面（図示省略）に遷移するためのボタンである。この選択画面にて、使用者が食事内容に応じて項目を選択及び入力することにより、食事内容が分析されて、食事におけるタンパク質、脂質、炭水化物、糖質及び塩分のそれぞれの摂取量と、食事の総カロリーと、が算出される。これらの算出結果及び食事の開始時刻は、記憶部３４に一時的に記憶されて、上記表示欄Ｖ２２，Ｖ２３に反映される。
なお、食事内容の分析は、外部のデータベース（外部機器に保持されたデータベース）を照会することにより行われてもよく、外部のサーバー（外部機器）を経由して実行されてもよい。
【００５７】
簡易設定ボタンＶ２５は、食事の開始時刻、食事の種別及び食事量を入力する入力画面（図示省略）に背にするためのボタンである。この入力画面にて、使用者が食事の開始時刻、食事の種別（「食事」、「飲酒」及び「間食」等）と、大まかな食事量を選択及び入力することにより、予め設定された計算式により、当該食事における大まかな摂取カロリーが算出される。そして、これらの算出結果及び食事の開始時刻は、上記選択画面での場合と同様に、記憶部３４に一時的に記憶されて、上記表示欄Ｖ２２，Ｖ２３に反映される。
【００５８】
そして、登録ボタンＶ２６が入力されると、情報取得部３６５が、記憶部３４に一時的に記憶していた食事内容を示す食事情報を、記憶部３４に改めて記憶（登録）させる。
一方、戻るボタンＶ２７が入力されると、記憶部３４に一時的に記憶されていた内容が破棄され、食事情報登録画面ＭＳが表示される前に表示されていた画面に遷移される。このため、表示欄Ｖ２２，Ｖ２３の内容も元に戻る。
【００５９】
図５に戻り、解析部３６６は、情報取得部２８５により取得された生体情報及び体動情報を解析する。例えば、解析部３６６は、取得された生体情報及び体動情報に基づいて、使用者の１日毎の消費カロリー、運動時における運動強度及び運動時間を算出する。
【００６０】
情報送信部３６７は、使用者情報を上記使用者ＩＤとともに管理サーバー７に送信する。この使用者情報には、生体情報、活動情報、属性情報、レセプト情報、目的情報及び環境情報が含まれる。
生体情報には、上記検出装置２から取得された脈波、脈拍数、血圧、血糖値、体温及び発汗量が含まれる。
活動情報には、上記検出装置２から取得された体動情報である加速度の他、解析部３６６により解析された使用者の１日毎の消費カロリー、運動強度及び運動時間、並びに、上記食事情報が含まれる。
属性情報、レセプト情報及び目的情報には、上記使用者情報登録画面ＲＳにて入力された属性情報、レセプト情報及び目的情報が含まれる。
環境情報には、上記検出装置２から取得された位置情報が含まれる。なお、詳しくは後述するが、環境情報には、当該位置情報により示される使用者の現在位置における天候、気温及び湿度と、これらに基づいて算出或いは取得されるＷＢＧＴ（Wet Bulb Globe Temperature：湿球黒球温度）とが、管理サーバー７によって追加される。
【００６１】
提示情報生成部３６８は、報知部３２によって使用者に提示する提示情報を生成する。このような提示情報としては、例えば、生体情報及び体動情報に基づいて分析される使用者の状態を良化させるアドバイス等が挙げられる。
【００６２】
［店舗端末の構成］
図８は、店舗端末４の構成を示すブロック図である。
図１に戻り、店舗端末４は、本発明の情報処理装置の１つである。この店舗端末４は、上記のように、店舗ＳＴにて利用されるＰＯＳ（Point of sale：販売時点情報管理）レジスター等の端末装置であり、当該店舗ＳＴの取扱商品の在庫管理に用いられる。
このような店舗端末４は、図８に示すように、操作部４１、報知部４２、通信部４３、記憶部４４、描画部４５及び制御部４６を備える。
【００６３】
操作部４１は、キーボード及びポインティングデバイスにより構成され、店舗端末４の使用者（管理者又は販売員）の入力操作に応じた操作信号を制御部４６に出力する。また、操作部４１は、上記ＰＯＳレジスターに配置され、購入希望者の認証情報（例えば上記使用者ＩＤや購入希望者が所有するカード番号）、並びに、当該購入希望者が購入を希望する商品の商品情報（商品ＩＤ）を取得する取得手段（例えば、バーコードリーダー）を有し、当該取得手段によって取得された認証情報及び商品情報を、制御部４６に出力する。
報知部４２は、描画部４５により描画された画像を表示する各種ディスプレイを有する表示部４２１と、制御部４６から入力される音声信号に応じた音声を出力するスピーカー等の音声出力手段を有する音声出力部４２２と、を有する。
通信部４３は、制御部４６による制御の下、上記ネットワークＮを介して管理サーバー７と通信する。
【００６４】
記憶部４４は、店舗端末４の動作に必要な各種プログラム及びデータを記憶している。このようなプログラムとして、記憶部４４は、例えば制御部４６により実行されるＯＳや、店舗ＳＴにて取り扱われる商品の在庫を管理する在庫管理アプリケーションを記憶している。この他、記憶部４４は、購入希望者が商品を購入しようとした際に、管理サーバー７と通信して、当該管理サーバー７にて決定された当該希望商品の提示価格を含む提示情報を取得する価格取得プログラムを記憶している。
また、記憶部４４は、上記データとして、例えば、店舗端末４が設置された店舗ＳＴに固有の識別情報（店舗ＩＤ）を記憶している他、取扱商品の在庫数を管理するためのデータベースを記憶している。このデータベースは、店舗ＳＴの取扱商品毎の商品ＩＤ（例えばＪＡＮコード）と、当該取扱商品の在庫数とが関連付けて設定されている。なお、当該データベースには、商品名、商品の説明及び小売価格等が含まれていてもよい。
【００６５】
描画部４５は、表示部４２１にて表示される画像を描画して、当該画像の画像情報を表示部４２１に表示させる。例えば、描画部４５は、上記ＯＳの実行時画面、在庫管理アプリケーションの実行時画面、及び、取得された提示情報を含む画面を描画する。
【００６６】
図９は、店舗端末４の制御部４６の構成を示すブロック図である。
制御部４６は、ＣＰＵ等の処理回路を備えて構成され、記憶部４４に記憶されたプログラムを実行することにより、店舗端末４の動作を制御する。このような制御部４６は、ＯＳ実行部４６Ａ及びＡＰ実行部４６Ｂと、を有する。
ＯＳ実行部４６Ａは、記憶部４４に記憶されたＯＳを実行する機能部であり、上記ＯＳ実行部３６Ａと同様に、計時部４６１、報知制御部４６２及び通信制御部４６３を有する。そして、これら機能部４６１〜４６３は、上記計時部３６１、報知制御部３６２及び通信制御部３６３と同様の処理を実行する。
【００６７】
ＡＰ実行部４６Ｂは、記憶部３４に記憶されたアプリケーションのうち、操作部４１から入力される操作信号に応じてＯＳ実行部４６Ａにより指示されたアプリケーションを実行する。このＡＰ実行部４６Ｂは、記憶部４４に記憶された在庫管理プログラムが実行されることによって機能する在庫管理部４６４と、上記価格取得プログラムが実行されることによって機能する認証情報取得部４６５、希望商品情報取得部４６６、情報送信部４６７及び提示情報取得部４６８を有する。
【００６８】
在庫管理部４６４は、店舗ＳＴの取扱商品の在庫数を管理する。具体的に、在庫管理部４６４は、操作部４１を用いて店舗ＳＴの管理者により入力された取扱商品の商品ＩＤと、当該取扱商品の在庫数とを、記憶部４４に記憶された上記データベースに設定する。
また、在庫管理部４６４は、通信制御部４６３及び通信部４３を介して管理サーバー７と定期的に通信して、当該管理サーバー７に上記データベースの内容を送信する。これにより、管理サーバー７が、店舗ＳＴの取扱商品の在庫数を把握できる。
【００６９】
ＡＰ実行部４６Ｂは、購入希望者が商品を購入しようとした際に価格取得プログラムを実行する。例えば、ＡＰ実行部４６Ｂは、店舗ＳＴの取扱商品のうち購入希望者の希望商品がレジスターに運ばれた際に、当該価格取得プログラムを実行する。これにより、認証情報取得部４６５、希望商品情報取得部４６６、情報送信部４６７及び提示情報取得部４６８が機能する。
【００７０】
認証情報取得部４６５は、上記取得手段によって取得された購入希望者の認証情報を取得する。この認証情報は、上記のように、上記使用者ＩＤでもよく、後述する管理サーバー７に保持されたデータベースに、当該使用者ＩＤと関連付けて記憶された認証情報であれば、店舗ＳＴの会員番号や、ポイントカード番号及びクレジットカード番号等の他の情報でもよい。
希望商品情報取得部４６６は、上記取得手段によって取得された希望商品の商品情報（商品ＩＤ）を取得する。
【００７１】
情報送信部４６７は、取得された購入希望者の認証情報及び希望商品の商品情報を、管理サーバー７に送信する。なお、情報送信部４６７は、認証情報が取得されなかった場合には、情報送信を実行しない。
提示情報取得部４６８は、情報送信部４６７による情報送信がなされた後、管理サーバー７から受信される上記希望商品の提示価格を含む提示情報を取得する。この提示情報は、上記報知制御部４６２により、表示部４２１に表示される。これにより、購入希望者は、当該希望商品の提示価格を把握できる。
【００７２】
［自動販売機の構成］
図１０は、自動販売機５の構成を示すブロック図である。
自動販売機５は、本発明の情報処理装置の１つである。この自動販売機５は、購入希望者による入力操作に応じた商品を販売するものであり、上記店舗端末４と同様に、取扱商品の在庫数を管理サーバー７に送信する。また、本実施形態に係る自動販売機５は、上記店舗端末４と同様に、購入希望者の上記認証情報が取得された場合には、当該購入希望者の認証情報とともに希望商品の商品情報を管理サーバー７に送信して上記提示情報を取得し、当該提示情報を購入希望者に提示する。
このような自動販売機５は、上記店舗端末４と同様の構成を有する。具体的に、自動販売機５は、図１０に示すように、操作部５１、報知部５２、通信部５３、記憶部５４、描画部５５及び制御部５６を備える。
【００７３】
操作部５１は、自動販売機５の取扱商品の購入ボタンを備えて構成され、当該操作部５１は、入力された購入ボタンに応じた操作信号を制御部５６に出力する。また、操作部５１は、購入希望者の認証情報を取得する取得手段を有し、取得された認証情報を制御部５６に出力する。このような取得手段は、購入希望者が所有するカードに記録された認証情報を読み取るものでもよく、当該購入希望者が入力可能なボタン（物理キー及びソフトウェアキー）であってもよい。
報知部５２は、描画部５５によって描画された画像を表示する表示部５２１と、制御部５６から入力される音声信号に応じた音声を出力する音声出力部５２２と、を有する。これらのうち、表示部５２１が表示する画像としては、管理サーバー７から受信される提示情報（購入希望者が選択した希望商品の提示価格を含む提示情報）が挙げられる。なお、表示部５２１が、取扱商品の商品名及び説明を含む画像を更に表示してもよい。
【００７４】
通信部５３は、制御部５６による制御の下、管理サーバー７と通信する。例えば、通信部５３は、自動販売機５の取扱商品の在庫数を当該管理サーバー７に送信する。また例えば、通信部５３は、取得された購入希望者の認証情報及び希望商品の商品ＩＤを管理サーバー７に送信して、上記提示情報を受信する。
記憶部５４は、上記店舗端末４の記憶部４４と同様に、自動販売機５に固有の識別情報を記憶している他、取扱商品の在庫数を管理するためのデータベース（テーブル）を記憶している。このデータベースは、店舗端末４の記憶部４４に記憶されたデータベースと略同じ内容である。
描画部５５は、制御部５６による制御の下、表示部５２１に表示させる画像を描画し、当該画像の画像情報を表示部５２１に出力する。
【００７５】
図１１は、制御部５６の構成を示すブロック図である。
制御部５６は、ＣＰＵ等の処理回路を備えて構成され、当該自動販売機５の動作を制御する。この制御部５６は、図１１に示すように、上記制御部４６と同様に、計時部５６１、報知制御部５６２、通信制御部５６３、在庫管理部５６４、認証情報取得部５６５、希望商品情報取得部５６６、情報送信部５６７及び提示情報取得部５６８を有する。
【００７６】
これら機能部５６１〜５６８は、上記店舗端末４の機能部４６１〜４６８と同様に機能する。
例えば、認証情報取得部５６５は、上記操作部５１により取得された購入希望者の認証情報を取得する。
希望商品情報取得部５６６は、上記操作部５１から入力される操作信号に基づいて、希望商品の商品情報（商品ＩＤ）を取得する。
情報送信部５６７は、それぞれ取得された購入希望者の認証情報及び希望商品の商品情報を、通信制御部５６３及び通信部５３を介して管理サーバー７に送信する。
提示情報取得部５６８は、情報送信部５６７による情報送信がなされた後、管理サーバー７から上記提示情報を取得する。この提示情報が、表示部５２１に表示されることにより、購入希望者は当該希望商品の提示価格を把握できる。
【００７７】
［ウェブサーバーの構成］
図１２は、ウェブサーバー６の構成を示すブロック図である。
ウェブサーバー６は、上記のように、ウェブ店舗ＷＳを構成する。このウェブサーバー６は、情報処理装置３及び管理サーバー７等のネットワークＮ上に位置する機器と通信可能に構成されており、当該機器からの要求に応じて、ウェブ店舗ＷＳのウェブページを生成し、当該ウェブページを情報処理装置３に送信する。この他、ウェブサーバー６は、取扱商品の在庫数を管理サーバー７に送信する。更に、ウェブサーバー６は、購入希望者による商品の購入操作がなされる際に、管理サーバー７から上記提示情報を取得する。
このようなウェブサーバー６は、図１２に示すように、通信部６１、記憶部６２及び制御部６３を備え、これらはバスラインＢＬによって互いに接続されている。なお、ウェブサーバー６は、これらに加えて、キーボード及びポインティングデバイス等の操作部や、動作画面を表示する表示部等を備えていてもよい。
【００７８】
通信部６１は、制御部６３による制御の下、当該ウェブサーバー６と通信する機器との間で、情報を送受信する。
記憶部６２は、ウェブサーバー６の動作に必要なＯＳや各種アプリケーション（在庫管理プログラム、ページ生成プログラム及び価格取得プログラムを含む）の他、ウェブページを構成する画像や音声等のコンテンツを含む各種データを記憶している。この他、記憶部６２は、上記店舗端末４の記憶部４４と同様に、取扱商品の在庫数を管理するためのデータベース（テーブル）を記憶している。このデータベースは、当該記憶部４４に記憶されたデータベースと略同じ内容である。
【００７９】
図１３は、制御部６３の構成を示すブロック図である。
制御部６３は、記憶部６２に記憶されたプログラムを実行するＣＰＵ等の処理回路を備えて構成され、ウェブサーバー６の動作を制御する。この制御部６３は、通信部６１を介してネットワークＮ上の機器（例えば情報処理装置３）からウェブ店舗ＷＳのウェブページを要求する要求情報が受信されると、当該機器にウェブページを送信する。また、制御部６３は、管理サーバー７と定期的に通信して、当該管理サーバー７にデータベースの内容を送信する。
このような制御部６３は、図１３に示すように、ＯＳ実行部６３Ａ及びＡＰ実行部６３Ｂを有する。
【００８０】
ＯＳ実行部６３Ａは、記憶部６２に記憶されたＯＳを実行する機能部であり、上記ＯＳ実行部３６Ａと同様に、計時部６３１、報知制御部６３２及び通信制御部６３３を有する。そして、これら機能部６３１〜６３３は、上記計時部３６１、報知制御部３６２及び通信制御部３６３と同様に機能する。
【００８１】
ＡＰ実行部６３Ｂは、上記ＡＰ実行部４６Ｂと同様に、記憶部６２に記憶されたアプリケーションのうち、ＯＳ実行部６３Ａにより指示されたアプリケーションを実行する。このＡＰ実行部６３Ｂは、上記在庫管理プログラムが実行されることによって機能する在庫管理部６３４と、上記ページ生成プログラムが実行されることによって機能するページ生成部６３５と、上記価格取得プログラムが実行されることによって機能する認証情報取得部６３６、希望商品情報取得部６３７、情報送信部６３８及び提示情報取得部６３９を有する。
【００８２】
在庫管理部６３４は、上記在庫管理部４６４と同様に、ウェブ店舗ＷＳの取扱商品の在庫数を、記憶部６２に記憶されたデータベースを用いて管理する。また、在庫管理部６３４は、当該データベースの内容を管理サーバー７に定期的に送信する。
ページ生成部６３５は、ウェブ店舗ＷＳのウェブページを生成し、当該ウェブページを要求する要求情報を送信した機器に、通信部６１を介して送信する。また、ページ生成部６３５は、後述する提示情報取得部６３９によって上記提示情報が取得された際に、当該提示情報を含むウェブページを生成及び送信する。
【００８３】
認証情報取得部６３６は、ウェブページを送信した機器から受信される購入希望者の認証情報を取得する。この認証情報は、上記と同様に、上記使用者ＩＤでもよく、後述する管理サーバー７に保持されたデータベースに、当該使用者ＩＤと関連付けて記憶された認証情報であれば、ウェブ店舗ＷＳの会員番号、クレジットカード番号、ログインＩＤ及びメールアドレス等の他の情報でもよい。
希望商品情報取得部６３７は、同じくウェブページを送信した機器から受信される購入希望者の希望商品に関する商品情報（例えば、商品ＩＤ）を取得する。
情報送信部６３８は、それぞれ取得された購入希望者の認証情報及び希望商品の商品情報を、通信制御部６３３及び通信部６１を介して管理サーバー７に送信する。
提示情報取得部６３９は、情報送信部６３８による情報送信がなされた後、管理サーバー７から受信される上記提示情報を取得する。
【００８４】
ここで、ウェブサーバー６は、ウェブ店舗ＷＳでの商品の購入を希望する購入希望者が操作する機器との間にて、例えば以下のように情報を送受信する。
ウェブサーバー６において、上記機器からウェブ店舗ＷＳのウェブページを要求する要求情報が受信されると、ページ生成部６３５が、例えばログイン画面のウェブページを生成及び送信する。
当該ログイン画面が受信された上記機器にて上記認証情報が入力され、当該認証情報がウェブサーバー６にて受信されると、認証情報取得部６３６が当該認証情報を取得する。そして、ページ生成部６３５が、取扱商品を紹介する紹介画面のウェブページを生成及び送信する。
【００８５】
当該紹介画面が受信された上記機器にて、所定の商品（希望商品）を買い物カゴに入れる操作が行われ、当該希望商品の商品情報がウェブサーバー６にて受信されると、希望商品情報取得部６３７が当該希望商品の商品情報を取得する。
この後、情報送信部６３８が、それぞれ取得された購入希望者の認証情報及び希望商品の商品情報を管理サーバー７に送信し、提示情報取得部６３９が、当該管理サーバー７から上記提示情報を取得する。この後、ページ生成部６３５が、買い物カゴのウェブページを送信する際に、希望商品の価格として、取得された提示情報に含まれる提示価格を設定したウェブページを生成し、当該ウェブページを上記機器に送信する。
そして、上記機器から希望商品の購入処理（決済処理）を実施する操作情報を受信したウェブサーバー６は、当該購入処理を実行する。
このように、購入希望者は、上記機器に表示された買い物カゴのウェブページを閲覧することにより、希望商品の提示価格を購入処理が実行される前に確認できる。
【００８６】
［管理サーバーの構成］
管理サーバー７は、本発明の価格決定装置に相当する。この管理サーバー７は、図１に示したように、ネットワークＮを介して情報処理装置３、店舗端末４、自動販売機５及びウェブサーバー６と通信可能に構成されている。そして、管理サーバー７は、情報処理装置３から受信される上記使用者情報を記憶する。
また、管理サーバー７は、店舗端末４、自動販売機５及びウェブサーバー６からそれぞれ受信される在庫管理用のデータベースの内容を記憶する。すなわち、管理サーバー７と、店舗端末４、自動販売機５及びウェブサーバー６とは、ＰＯＳシステムを構成する。
更に、管理サーバー７は、店舗端末４、自動販売機５及びウェブサーバー６から受信される上記購入希望者の認証情報及び上記希望商品の商品情報に基づいて価格決定処理を実行し、上記提示情報を生成して、それぞれに送信する。
加えて、管理サーバー７は、使用者情報に含まれる位置情報に基づいて、上記検出装置２及び上記情報処理装置３を使用する使用者の現在位置に近い店舗ＳＴ及び自動販売機５の取扱商品のうち、当該使用者の状態に応じて価格が変動する商品についての情報を、情報処理装置３に送信する。
【００８７】
図１４は、管理サーバー７の構成を示すブロック図である。
このような管理サーバー７は、図１４に示すように、操作部７１、報知部７２、通信部７３、記憶部７４及び制御部７５を備え、これらはバスラインＢＬによって互いに接続されている。
操作部７１は、キーボード及びポインティングデバイス等の操作手段により構成され、使用者の入力操作に応じた操作信号を制御部７５に出力する。
報知部７２は、上記報知部３２と同様に、表示部及び音声出力部を有し、制御部７５から入力される画像信号及び音声信号に応じた画像及び音声をそれぞれ出力する。
通信部７３は、制御部７５による制御の下、ネットワークＮを介して、情報処理装置３、店舗端末４、自動販売機５及びウェブサーバー６と通信する。
【００８８】
記憶部７４は、管理サーバー７の動作に必要な各種プログラム及びデータを記憶している。例えば、記憶部７４は、使用者情報データベース、店舗情報データベース、商品情報データベース及び価格決定データベースを記憶している。この他、記憶部７４は、当該プログラムとして、管理サーバー７を制御するＯＳや、商品販売装置ＰＳ（店舗端末４、自動販売機５及びウェブサーバー６）から受信されたデータベースの内容に基づいて、店舗情報データベースを更新する更新プログラム、上記希望商品の提示価格を決定する価格決定プログラム、及び、使用者の現在位置に近い店舗の取扱商品のうち、当該使用者の状態に応じて価格が変動する商品についての商品情報を送信する価格変動商品送信プログラムを記憶している。
以下、記憶部７４が記憶しているデータベースについて、詳述する。
【００８９】
［使用者情報データベース］
使用者情報データベースは、使用者情報テーブル及び使用者管理テーブルを含む。
使用者情報テーブルは、上記使用者情報が、使用者に割り当てられた使用者ＩＤ毎に設定されるテーブルである。具体的に、使用者情報テーブルには、使用者ＩＤの他、それぞれ上記使用者情報に含まれる生体情報、活動情報、属性情報、レセプト情報、環境情報及び目的情報が設定される。なお、上記のように、環境情報に含まれる天候、気温、湿度及びＷＢＧＴは、管理サーバー７により追加される。
使用者管理テーブルは、使用者ＩＤと、当該使用者ＩＤに対応する認証情報とが設定される。具体的に、使用者管理テーブルには、使用者ＩＤと、当該使用者ＩＤにより示される使用者が所有する店舗ＳＴのポイントカード番号、当該使用者に割り振られたウェブ店舗ＷＳの会員番号、クレジットカード番、メールアドレス号等の認証番号とが、互いに関連付けて設定される。
【００９０】
［店舗情報データベース］
店舗情報データベースは、取扱商品テーブル及び店舗情報テーブルを含む。
取扱商品テーブルは、店舗ＳＴ、自動販売機５及びウェブ店舗ＷＳの取扱商品の在庫数を管理するためのテーブルであり、上記商品販売装置ＰＳから受信される在庫管理用のデータベースの内容が反映される。具体的に、取扱商品テーブルは、店舗ＳＴ、自動販売機５及びウェブ店舗ＷＳのそれぞれに割り振られた店舗ＩＤ毎に設けられ、当該取扱商品テーブルには、商品ＩＤと、当該商品ＩＤにより示される取扱商品の在庫数とが設定される。
店舗情報テーブルは、店舗ＳＴ及び自動販売機５のそれぞれの店舗ＩＤと、当該店舗ＳＴ及び自動販売機５の住所、連絡先及び営業時間等の情報とが関連付けて設定される。なお、ウェブ店舗ＷＳにも店舗ＩＤは割り当てられている。
【００９１】
［商品情報データベース］
商品情報データベースは、商品情報テーブル及び詳細情報テーブルを含む。
商品情報テーブルは、商品ＩＤ（例えばＪＡＮコード）と、該当商品についての情報とが設定されるテーブルである。具体的に、商品情報テーブルには、商品ＩＤ、商品名、商品の説明、小売価格、カテゴリー等が設定されている。これらのうち、カテゴリーには、食品、飲料、医薬品（部外品も含む）、雑貨等の区分が設定される。
【００９２】
詳細情報テーブルは、それぞれの商品の詳細な情報が設定されるテーブルであり、上記カテゴリーに分けて設定される。具体的に、詳細情報テーブルは、食品情報テーブル、飲料情報テーブル、医薬品情報テーブル及び雑貨テーブル等を含む。
これらのうち、食品情報テーブル及び飲料情報テーブルには、商品ＩＤ、カロリー、商品区分、及び、原材料又は含有物質（例えば、ビタミンＫ等）が設定される。これらのうち、食品情報テーブルの商品区分には、おにぎり、麺類、パン、野菜及び加工品、乳製品、肉及び肉製品、並びに、サプリメント等が設定される。また、飲料情報テーブルの商品区分には、茶飲料、コーヒー飲料、清涼飲料、乳清飲料、アルコール（清酒、焼酎、ワイン及びビール等）、ドリンク剤（医薬品及び医薬部外品を含む）等の区分が設定される。また、医薬品情報テーブルには、商品ＩＤ、商品区分（風邪薬、胃腸薬、鎮痛剤等の区別）が設定される。雑貨テーブルには、商品ＩＤ、商品区分（衣類及び運動靴等の区別）が設定される。
【００９３】
［価格決定データベース］
価格決定データベースは、使用者情報に基づく使用者の状態に応じた商品の価格変動率（変動係数）が商品ＩＤ毎に設定された複数の変動率テーブルを含む。これら変動率テーブルには、適用条件、商品区分及び価格変動率がそれぞれ設定されている。
これらのうち、適用条件は、当該変動率テーブルに設定された価格変動率を適用するための条件であり、上記使用者情報によって導き出される使用者の状態に基づいて適否が判定される条件である。
商品区分は、当該価格変動率が適用される商品の区分である。
価格変動率は、本実施形態における価格変動情報に相当する。この価格変動率は、上記商品情報に含まれる小売価格に対する価格変動率であり、当該小売価格を「１」とする割合で示される。例えば、ある商品に適用される価格変動率が「０．９５」である場合には、当該商品の小売価格に「０．９５」を乗算した価格が、上記使用者に提示される提示価格となる。
【００９４】
このような変動率テーブルは、使用者情報に含まれる目的情報に応じて選択されて利用される目的別変動率テーブルと、使用者情報を解析して導き出される使用者の状態に応じて選択されて利用される状態別変動率テーブルと、を含む。
【００９５】
［目的別変動率テーブル］
目的別変動率テーブルとしては、例えば、上記目的情報が「健康維持（ダイエット）」である場合に選択されるダイエット用テーブルと、「運動能力向上」である場合に選択される運動能力向上用テーブルと、「リハビリ」である場合に選択されるリハビリ用テーブルとが挙げられる。
【００９６】
［ダイエット用テーブル］
ダイエット用テーブルの適用条件には、以下の表１に一例が示されるように、使用者情報のうち食事情報から求められる摂取カロリーと、生体情報及び活動情報から求められる消費カロリーとの関係が設定されている。商品区分には、摂取カロリーに関係する「食品、飲料」と「その他」とが設定されている。価格変動率には、それぞれの適用条件及び商品区分に応じた価格変動率が設定されている。
【００９７】
【表１】
2016099782.tif 000003
【００９８】
このように、例えば、それぞれ使用者の摂取カロリーが消費カロリーを下回っている場合には、食品及び飲料でない商品（「その他」に分類される商品）の提示価格は、当該商品の小売価格に「０．９５」を乗算した価格となる。
また、例えば、それぞれ使用者の摂取カロリーが消費カロリーを上回っている場合には、食品及び飲料でない商品の提示価格は、当該商品の小売価格に「０．９９」を乗算した価格となる。
このため、健康管理アプリケーション及び健康管理システム１の利用目的を示す目的情報が「健康維持（ダイエット）」であり、摂取カロリーが消費カロリーを下回っていると解析される場合、すなわち、当該利用目的に則した行動を使用者が実施している場合には、所定の商品についての割引率が高くなる。
【００９９】
［運動能力向上用テーブル］
運動能力向上用テーブルの適用条件には、以下の表２に一例が示されるように、使用者情報のうち活動情報に含まれる運動強度及び運動時間が設定されている。商品区分には、運動に関係する商品である「入浴剤、湿布、肉及び運動靴」が設定されている。価格変動率には、それぞれの適用条件及び商品区分に応じた価格変動率が設定されている。なお、価格変動率が設定されていない商品区分の商品に適用される価格変動率は「１．００」（すなわち、変動なし）である。
【０１００】
【表２】
2016099782.tif 000004
【０１０１】
このように、例えば、使用者が当日実施した運動の運動強度が５０％ＨＲＲであり、運動時間が２０分である場合には、商品区分が「入浴剤、湿布、肉、運動靴」に分類される商品の提示価格は、当該商品の小売価格に「０．９８」を乗算した価格となる。
また例えば、使用者が当日実施した運動の運動強度が６０％ＨＲＲであり、運動時間が３０分以上である場合には、商品区分が「入浴剤、湿布、肉、運動靴」に分類される商品の提示価格は、当該商品の小売価格に「０．９０」を乗算価格となる。
一方、例えば、使用者が当日実施した運動の運動強度が４０％ＨＲＲ未満である場合には、運動時間に関係なく、全ての商品の提示価格は、小売価格と同じになる。
このように、健康管理アプリケーション及び健康管理システム１の利用目的を示す目的情報が「運動能力向上」であり、比較的強い運動を長時間に亘って使用者が実施した場合、すなわち、当該利用目的に則した行動を使用者が実施している場合には、所定の商品の割引率が高くなる。
【０１０２】
［リハビリ用テーブル］
リハビリ用テーブルの適用条件には、以下の表３に一例が示されるように、使用者情報のうち目的情報に含まれるリハビリの目的が設定されている。商品区分には、当該リハビリの目的に適した商品の区分及び適さない商品の区分が設定されている。価格変動率には、それぞれの適用条件及び商品区分に応じた価格変動率が設定されている。なお、上記運動能力向上用テーブルと同様に、価格変動率が設定されていない商品区分の商品に適用される価格変動率は「１．００」（すなわち、変動なし）である。
【０１０３】
【表３】
2016099782.tif 000005
【０１０４】
このように、リハビリの目的が「糖尿病の改善」である場合の価格変動率は、血糖値を上昇させやすい商品では低く設定されていることから、当該商品の価格は割引となる。一方、当該価格変動率は、血糖値を上昇させにくい商品では高く設定されていることから、当該商品の価格は割増となる。なお、上記食事情報には、タンパク質、脂質及び炭水化物の摂取量も含まれているため、１回の食事、１日の食事、又は、所定期間内の食事におけるこれらのバランス（割合）に応じて価格変動率が設定されていてもよい。
また、リハビリの目的が「脳梗塞の抑制」である場合の価格変動率は、脳梗塞を生じさせづらくすると考えられる商品については低く設定されていることから、当該商品の価格は割引となる。一方、当該価格変動率は、脳梗塞を生じさせやすくすると考えられる商品については高く設定されていることから、当該商品の価格は割増となる。
同様に、リハビリの目的が「骨折からのリハビリ」である場合の価格変動率は、骨折の治癒を促すと考えられる商品については低く設定されていることから、当該商品の価格は割引となる。一方、当該価格変動率は、骨折の治癒を妨げると考えられる商品については高く設定されていることから、当該商品の価格は割増となる。
【０１０５】
［状態別変動率テーブル］
状態別変動率テーブルは、上記のように、使用者情報を解析して導き出される使用者の状態に応じて選択されて利用される変動率テーブルである。
このような変動率テーブルとしては、例えば、生体情報に基づく使用者の状態に応じて適用される精神状態用テーブル及び体調管理用テーブルと、生体情報及び環境情報に基づく使用者の状態に応じて適用される熱中症用テーブルと、が挙げられる。
【０１０６】
［精神状態用テーブル］
精神状態用テーブルは、例えば、自動車を運転した後の休憩時に、設定された適用条件に該当するテーブルである。
この精神状態用テーブルの適用条件には、以下の表４に一例が示されるように、使用者情報のうち生体情報から導き出される睡眠欲求及びストレス指標（例えば、ＬＦ／ＨＦ値）が設定されている。商品区分には、当該睡眠欲求を緩和すると考えられる「栄養剤、覚醒食品」、ストレス状態を緩和すると考えられる「菓子」、及び、「全商品」が設定されている。価格変動率には、それぞれの適用条件及び商品区分に応じた価格変動率が設定されている。
【０１０７】
【表４】
2016099782.tif 000006
【０１０８】
この精神状態用テーブルにて、使用者の睡眠欲求が高い場合には、当該使用者のストレス状態に関わらず、当該睡眠欲求を緩和すると考えられる商品である「栄養剤、覚醒食品」の提示価格は、当該商品の小売価格に「０．９５」を乗算した価格となって割引となる。
また、使用者の睡眠欲求は低いものの、ストレス指標が高い場合には、当該使用者のストレス状態を緩和すると考えられる商品である「菓子」の提示価格は、当該商品の小売価格に「０．９７」を乗算した価格となって割引となる。
更に、使用者の睡眠欲求は低く、ストレス指標も低い場合には、使用者が良好な状態を保っていると判断できることから、全商品の提示価格は、当該商品の小売価格に「０．９５」を乗算した価格となって割引となる。
このように、精神状態用テーブルの適用条件が満たされる場合には、使用者の精神状態を良化させる商品の割引率が高くなる。
【０１０９】
［体調管理用テーブル］
体調管理用テーブルは、使用者の体調管理のために常に適用されるテーブルであり、例えば、使用者が風邪を引いた場合に、設定された適用条件に該当するテーブルである。
体調管理用テーブルの適用条件には、以下の表５に一例が示されるように、使用者情報のうち生体情報に含まれる体温及びストレス指標が設定されている。商品区分には、当該使用者の状態を良化させる、或いは、利用される頻度が高いと考えられる商品である「風邪薬、ホットドリンク、栄養剤、サプリメント、皮膚温度冷却材、ティッシュペーパー」と、使用者の状態を悪化させると考えられる「酒」とが設定されている。また、価格変動率には、それぞれの適用条件及び商品区分に応じた価格変動率が設定されている。
【０１１０】
【表５】
2016099782.tif 000007
【０１１１】
この体調管理用テーブルにて、使用者の体温が３７℃以上であり、かつ、ストレス指標であるＬＦ／ＨＦ値が２．２以上である場合には、当該使用者は風邪を引いていると判断される。このことから、風邪の症状を緩和すると考えられる上記商品の提示価格は、当該商品の小売価格の９５％の価格となるが、風邪の症状を悪化させると考えられる商品である「酒」の提示価格は、小売価格に「１．１０」を乗算した価格となる。なお、使用者の体温が３７℃以上でない、或いは、ＬＦ／ＨＦ値が２．２以上でない場合には、体調管理用テーブルに設定された価格変動率は適用されない。
このように、体調管理用テーブルの適用条件が満たされる場合には、使用者の体調を良化させる商品の価格が割引となり、悪化させる商品の価格が割増となる。
【０１１２】
［熱中症用テーブル］
熱中症用テーブルは、上記体調管理用テーブルと同様に、使用者の体調管理のために常に適用されるテーブルであり、例えば、使用者が熱中症となる可能性がある場合に、設定された適用条件に該当するテーブルである。
この熱中症用テーブルの適用条件には、以下の表６に一例が示されるように、使用者情報のうち環境情報に含まれる気温及び暑さ指数（ＷＢＧＴ）と、生体情報に含まれる発汗量とが設定されている。商品区分には、熱中症予防商品である「スポーツドリンク、塩分補給食品」が設定されている。また、価格変動率には、それぞれの適用条件及び商品区分に応じた価格変動率が設定されている。
【０１１３】
【表６】
2016099782.tif 000008
【０１１４】
このように、例えば、使用者の現在位置の気温が３５℃以上であり、ＷＢＧＴが３１℃以上であり、更に、使用者の発汗量が所定値以上である場合には、熱中症の危険性が高いと判断される。このことから、熱中症の予防に効果があると考えられる上記商品の提示価格は、当該商品の小売価格に「０．９０」を乗算した価格となる。
一方、例えば、上記気温が２４℃未満で、かつ、ＷＢＧＴが２１℃未満である場合には、使用者の発汗量に関わらず、熱中症の危険性は低いと判断される。このことから、熱中症の予防に効果があると考えられる上記商品の提示価格は、当該商品の小売価格に「１．００」を乗算した価格、すなわち、小売価格のままとなる。
このように、熱中症用テーブルの適用条件が満たされる場合、熱中症の予防に効果があると考えられる商品の価格が割引となる。
以上説明したそれぞれの変動率テーブルは、それぞれ一例であり、各テーブルにおける適用条件、商品区分及び価格変動率は、それぞれ適宜変更可能である。
【０１１５】
［制御部の構成］
図１５は、管理サーバー７の制御部７５の構成を示すブロック図である。
制御部７５は、ＣＰＵ等の処理回路を有し、管理サーバー７の動作を制御する。この制御部７５は、図１５に示すように、ＯＳ実行部７５Ａ及びＡＰ実行部７５Ｂを有する。
【０１１６】
［ＯＳ実行部の構成］
ＯＳ実行部７５Ａは、ＯＳを実行する機能部であり、当該ＯＳ実行部７５Ａは、計時部７５１、報知制御部７５２及び通信制御部７５３を有する。これら機能部７５１〜７５３は、上記機能部３６１〜３６３と同様に機能する。
【０１１７】
［ＡＰ実行部の構成］
ＡＰ実行部７５Ｂは、上記プログラムを含む各種アプリケーションを実行する際に機能する機能部として、例えば、更新部７５４、使用者情報取得部７５５、希望商品取得部７５６、使用者状態解析部７５７、価格決定部７５８、提示情報生成部７５９、価格変動商品取得部７６０、送信情報生成部７６１及び情報送信部７６２を有する。
【０１１８】
更新部７５４は、ＡＰ実行部７５Ｂが上記更新プログラムを実行する際に機能し、上記店舗情報データベースの取扱商品テーブルを更新する更新処理を実行する。具体的に、更新部７５４は、上記店舗端末４、自動販売機５及びウェブサーバー６から、通信部７３によって店舗ＩＤとともに受信されたデータベースの内容を取得し、当該データベースの内容により、上記店舗情報データベースにおいて上記店舗ＩＤに対応する取扱商品テーブルを更新する。
【０１１９】
使用者情報取得部７５５は、情報処理装置３から受信される使用者情報を取得し、当該使用者情報を上記使用者情報データベースに登録する。また、使用者情報取得部７５５は、情報処理装置３から逐次受信される生体情報、活動情報及び環境情報等の情報を、該当する使用者ＩＤに関連付けて登録する。更に、使用者情報取得部７５５は、取得された環境情報に含まれる位置情報に基づいて、当該位置情報により示される使用者の位置の天候、気温、湿度及びＷＢＧＴを、ネットワークＮを介して通信可能な外部サーバー（図示省略）から取得し、これらを該当する使用者ＩＤに関連付けて登録する。なお、ＷＢＧＴについては、取得された気温及び湿度等に基づいて、使用者情報取得部７５５が算出してもよい。
また、使用者情報取得部７５５は、上記価格決定プログラムを実行する際に機能し、上記商品販売装置ＰＳから上記購入希望者の認証情報が受信された場合に、上記使用者データベースを参照して、当該認証情報に応じた使用者ＩＤを取得する。
【０１２０】
希望商品取得部７５６、使用者状態解析部７５７、価格決定部７５８及び提示情報生成部７５９は、ＡＰ実行部７５Ｂによる上記価格決定プログラムの実行時に機能する。
これらのうち、希望商品取得部７５６は、上記商品販売装置ＰＳから認証情報とともに受信された希望商品の商品情報（商品ＩＤ）を取得する。
【０１２１】
使用者状態解析部７５７は、取得された使用者情報に基づいて、使用者の状態を解析する。具体的に、使用者状態解析部７５７は、上記価格決定データベースに含まれる変動率テーブルのうち、使用者情報に含まれる目的情報に応じた目的別変動率テーブル、及び、状態別変動率テーブルに、当該使用者情報を当てはめて、使用者の状態を取得する。例えば、使用者状態解析部７５７は、体調管理用テーブルに使用者情報を当てはめ、当該体調管理用テーブルの適用条件が満たされると判定した場合には、使用者の状態を「風邪を引いている状態」と解析する。
【０１２２】
価格決定部７５８は、取得された使用者ＩＤに応じた使用者情報、及び、取得された希望商品の商品ＩＤに基づいて、当該希望商品の販売価格として使用者に提示する提示価格を決定する。
具体的に、価格決定部７５８は、まず、上記商品情報データベースの商品情報テーブルを参照して、希望商品取得部７５６によって取得された希望商品の小売価格を取得する。
また、価格決定部７５８は、使用者情報に含まれる目的情報に応じた目的別変動率テーブル、及び、状態別変動率テーブルに、当該使用者情報を当てはめて、当該希望商品の小売価格に乗算される価格変動率を取得する。なお、上記のように、該当する商品区分の商品の価格変動率が設定されていない場合、取得された認証情報に該当する使用者ＩＤが登録されていない場合、及び、適用条件が満たされる変動率テーブルがない場合には、価格変動率は「１．００」となる。
そして、価格決定部７５８は、希望商品の小売価格に、取得された価格変動率を乗算した価格を、上記希望商品の提示価格と決定する。
【０１２３】
提示情報生成部７５９は、使用者状態解析部７５７によって解析された使用者の状態、及び、価格決定部７５８によって決定された提示価格を含む提示情報を生成する。なお、提示情報生成部７５９は、価格決定部７５８によって取得された価格変動率を、提示情報に含めてもよい。このようにして生成された提示情報は、後述する情報送信部７６２によって、上記購入希望者の認証情報及び希望商品の商品ＩＤを送信した商品販売装置ＰＳに送信され、当該商品販売装置ＰＳによって、購入希望者（使用者ＩＤを有する場合には上記使用者）に提示される。
【０１２４】
［価格決定処理］
図１６は、商品販売装置ＰＳ（店舗端末４、自動販売機５及びウェブサーバー６）と管理サーバー７とにより実行される価格決定処理を示すフローチャートである。
ここで、上記のように、店舗ＳＴでは購入希望者が希望商品をレジスターに運んだ場合、自動販売機５では購入希望者が希望商品を購入しようとした場合、及び、ウェブ店舗ＷＳでは購入希望者が希望商品を買物カゴに入れた場合に、これら商品販売装置ＰＳと、管理サーバー７とにより価格決定処理が実行される。
この価格決定処理では、図１６に示すように、まず、商品販売装置ＰＳが、上記価格取得プログラムを実行して、購入希望者の認証情報と、希望商品の商品情報（商品ＩＤ）とを取得する（ステップＳＡ１，ＳＡ２）。
そして、商品販売装置ＰＳは、これら認証情報及び商品情報を、管理サーバー７に送信し（ステップＳＡ３）、処理をステップＳＡ４に移行する。
【０１２５】
管理サーバー７では、認証情報及び希望商品の商品情報を受信すると、使用者情報取得部７５５が、認証情報に応じた使用者ＩＤを取得し、当該使用者ＩＤに応じた使用者情報を取得する（ステップＳＢ１）。
また、希望商品取得部７５６が、取得された希望商品の商品情報に基づいて、当該希望商品の小売価格を取得する（ステップＳＢ２）。
この後、使用者状態解析部７５７が、取得された使用者情報に基づいて使用者の状態を解析するとともに、価格決定部７５８が、上記のように、当該使用者の状態及び希望商品の商品区分に応じた価格変動率を取得し、上記提示価格を決定する（ステップＳＢ３）。
そして、提示情報生成部７５９が、決定された提示価格を含む提示情報を生成し、当該提示情報を商品販売装置ＰＳに送信する（ステップＳＢ４）。
これにより、管理サーバー７での価格決定処理は終了される。
【０１２６】
一方、商品販売装置ＰＳでは、受信された提示情報を取得して、当該提示情報を購入希望者（使用者ＩＤを有する場合には上記使用者）に提示する（ステップＳＡ４）。
これにより、商品販売装置ＰＳでの価格決定処理は終了される。
【０１２７】
図１７は、提示画面ＷＰの一例を示す図である。なお、提示画面ＷＰは、上記ウェブ店舗ＷＳのウェブページの一画面である。
上記価格決定処理により、店舗端末４及び自動販売機５は、取得された提示情報を、表示部４２１，５２１に表示させて使用者に提示する。また、上記のように、ウェブサーバー６は、当該提示情報を含むウェブページを情報処理装置３に送信し、当該情報処理装置３に表示させることによって、当該提示情報を使用者に提示する。例えば、ウェブサーバー６は、図１７に示す提示画面ＷＰを含むウェブページを情報処理装置３に送信する。
この提示画面ＷＰには、購入希望者が選択した希望商品の名称及びカテゴリーと、当該希望商品の小売価格が含まれる。この他、当該購入希望者が上記使用者ＩＤを有する上記使用者であり、当該使用者の状態に応じて価格が変動する場合には、希望商品の提示価格と、価格変動率に基づく割引率（或いは割増率）が含まれる。なお、図１７に示す提示画面ＷＰには、解析された使用者の状態に応じたメッセージが設定されているが、このようなメッセージはなくてもよい。
このような提示画面ＷＰを閲覧することにより、健康管理アプリケーション及び健康管理システム１を利用することのメリットを感じやすくなり、これらの継続利用を促すことができる。
【０１２８】
図１５に戻り、価格変動商品取得部７６０及び送信情報生成部７６１は、ＡＰ実行部７５Ｂによる上記価格変動商品送信プログラムの実行時に機能する。
価格変動商品取得部７６０は、使用者の状態に応じて小売価格から提示価格が変動する商品についての情報を要求する要求情報及び使用者ＩＤが上記情報処理装置３から受信された場合に、上記使用者情報に基づいて、当該提示価格が変動する商品である価格変動商品の商品情報（価格変動商品情報）を取得する。この際、情報処理装置３は、当該情報処理装置３又は検出装置２により新たに位置情報を取得し、最新の位置情報を要求情報及び使用者ＩＤとともに管理サーバー７に送信してもよい。
【０１２９】
具体的に、価格変動商品取得部７６０は、当該要求情報及び使用者ＩＤが受信されると、当該使用者ＩＤに応じた使用者情報を取得し、当該使用者情報に含まれる位置情報、又は、受信された位置情報に基づいて、上記店舗情報データベースの店舗情報テーブルから、当該使用者ＩＤに該当する使用者の現在位置に近い店舗を検索し、当該店舗ＩＤを取得する。
また、価格変動商品取得部７６０は、使用者情報に含まれる目的情報に応じた目的別変動率テーブル、及び、状態別変動率テーブルを参照して、現在の使用者の状態に応じて価格が変動する商品区分、すなわち、価格変動率が「１．００」でない商品区分と、当該価格変動率とを取得する。
【０１３０】
この後、価格変動商品取得部７６０は、取得された店舗ＩＤにより示される店舗の取扱商品のうち、同じく取得された商品区分の商品についての商品情報を、上記取扱商品テーブル及び商品情報テーブルを参照して取得する。この際、価格変動商品取得部７６０は、商品情報として、例えば、商品ＩＤ、商品名及び小売価格を取得する。
そして、価格変動商品取得部７６０は、取得された商品情報のうち、小売価格に上記価格変動率を乗算して提示価格を算出する。
このような価格変動商品取得部７６０により、使用者の現在位置に近い店舗（店舗ＳＴ又は自動販売機５）の取扱商品のうち、当該使用者の状態に応じて価格が変動する商品、すなわち、小売価格と提示価格とが異なる商品の商品名、小売価格、価格変動率及び提示価格が取得される。なお、価格変動商品取得部７６０は、これらに加えて、或いは、これらに代えて、商品の説明等の他の情報を取得してもよい。
【０１３１】
送信情報生成部７６１は、価格変動商品取得部７６０によって取得された情報を含む送品情報を生成する。
情報送信部７６２は、本発明の出力部に相当する。この情報送信部７６２は、上記提示情報生成部７５９によって生成された提示情報を、該当する商品販売装置ＰＳに送信する。また、情報送信部７６２は、送信情報生成部７６１によって生成された送信情報を情報処理装置３に送信する。この場合、情報送信部７６２は、本発明の価格変動商品情報取得部に相当する。
【０１３２】
［価格変動商品送信処理］
図１８は、価格変動商品送信処理を示すフローチャートである。
管理サーバー７は、上記のように、使用者の状態に応じて小売価格から提示価格が変動する商品についての情報を要求する要求情報及び使用者ＩＤが上記情報処理装置３から受信されると、価格変動商品取得部７６０、送信情報生成部７６１及び情報送信部７６２により、価格変動商品送信処理を実行する。
この価格変動商品送信処理では、図１８に示すように、まず、価格変動商品取得部７６０が、受信された使用者ＩＤを取得し（ステップＳＣ１）、当該使用者ＩＤに応じた使用者情報を上記使用者情報テーブルから取得する（ステップＳＣ２）。
そして、価格変動商品取得部７６０が、取得された使用者情報に含まれる位置情報（又は、受信された位置情報）に基づいて、上記店舗情報データベースの店舗情報テーブルから、使用者の現在位置に近い店舗（店舗ＳＴ及び自動販売機５）の店舗情報（店舗ＩＤ）を取得する（ステップＳＣ３）。
【０１３３】
また、価格変動商品取得部７６０は、取得された使用者情報に基づいて使用者の状態を解析し、上記目的別変動率テーブル及び上記状態別変動率テーブルを参照して、当該使用者の状態に応じて価格が変動する商品の商品区分及び価格変動率を取得する（ステップＳＣ４，ＳＣ５）。
この後、価格変動商品取得部７６０は、取得された店舗情報（店舗ＩＤ）により示される店舗の取扱商品のうち、取得された商品区分の商品である価格変動商品の商品情報を取得する（ステップＳＣ６）。
次に、価格変動商品取得部７６０は、取得された商品情報に含まれる小売価格に、対応する商品区分の価格変動率を乗算して上記提示価格を算出する（ステップＳＣ７）。この提示価格の算出処理は、取得された商品区分に分類される商品毎に行われる。
そして、送信情報生成部７６１が、価格変動商品取得部７６０により取得及び算出された情報を含む送信情報を生成し、情報送信部７６２が、当該送信情報を情報処理装置３に送信する（ステップＳＣ８）。
以上により、価格変動商品送信処理が終了される。
【０１３４】
［価格変動商品表示画面の構成］
図１９は、価格変動商品表示画面ＤＳの一例を示す図である。
上記送信情報を受信した情報処理装置３は、例えば図１９に示す価格変動商品表示画面ＤＳを表示する。
この価格変動商品表示画面ＤＳには、該当する店舗（使用者の近くに存在する店舗ＳＴ又は自動販売機５）の名称の他、上記価格変動商品の名称、商品区分及び小売価格と、算出された価格変動商品の提示価格と、価格変動率に基づく割引率（或いは割増率）とが含まれる。このような価格変動商品表示画面ＤＳを確認することにより、使用者は店舗に入る前、又は、店舗にて商品を購入する前に、当該店舗の取扱商品のうち、使用者の状態に応じて価格が変動する商品の情報を確認できる。
【０１３５】
［実施形態の効果］
以上説明した本実施形態に係る健康管理システム１によれば、以下の効果がある。
管理サーバー７は、使用者情報に基づく使用者の状態に応じて、当該使用者の希望商品の提示価格を決定し、当該提示価格を上記商品販売装置ＰＳに送信する。これによれば、例えば、希望商品が使用者の状態を良化及び維持させる商品であれば、当該希望商品の提示価格を安くしたり、使用者の状態を悪化させる商品であれば、当該希望商品の提示価格を高くしたりすることができる。従って、使用者の状態を良化させる商品を購入しやすくすることができ、また、当該状態を悪化させる商品を購入しづらくすることができるので、当該使用者の状態を良好に維持できる。
そして、このような管理サーバー７が、健康管理システム１を構成しているので、使用者の状態を良化させる希望商品の購入に関して金銭的なメリットを使用者に感じさせることができる。従って、健康管理システム１の継続利用を使用者に促すことができる。
【０１３６】
管理サーバー７の価格決定部７５８は、記憶部７４に記憶された上記データベースからそれぞれ取得される希望商品の小売価格、及び、当該希望商品の価格変動率（価格変動情報）に基づいて、希望商品の提示価格を決定する。これによれば、使用者の状態に応じた希望商品の提示価格を迅速かつ適切に決定できる。この他、使用者の状態毎に価格変動率を詳細に設定できるので、希望商品が同じ商品でも、現在の使用者の状態に応じた提示価格を適切に出力できる。
【０１３７】
使用者により設定された目的に応じて異なる上記目的別変動率テーブルが記憶され、当該目的別変動率テーブルには、それぞれ商品区分毎に価格変動率が設定されている。これによれば、使用者の状態及び目的に応じて希望商品の提示価格を決定できる。従って、希望商品の提示価格を適切に決定できる。
【０１３８】
使用者により設定された目的に応じた上記目的別変動率テーブルに基づいて価格変動率が取得される場合には、使用者情報に含まれる複数の項目のうち、当該目的に応じて取得された項目に基づいて、使用者の状態が判断される。これによれば、適切な情報に基づいて使用者の状態を判断できる。従って、使用者の状態を適切に判断できる他、使用者情報に含まれる全ての情報に基づいて使用者の状態が判断される場合に比べて、管理サーバー７の処理負担を軽減できる。
【０１３９】
使用者により設定された目的が健康維持である場合には、使用者の生体情報、活動情報及び食事情報に基づいて使用者の状態が判断される。これによれば、食事情報に基づいて摂取カロリーを算出でき、また、生体情報及び活動情報に基づいて消費カロリーを算出できる。そして、摂取カロリーが消費カロリーを上回っており、かつ、希望商品がカロリーが高い食品である場合には、当該希望商品の提示価格を小売価格より高くすることにより、更なる摂取カロリーの増加を抑制できる。従って、目的に応じた商品の購入を促すことができ、当該目的の達成に使用者を導くことができる。
【０１４０】
使用者に設定された目的が運動能力向上である場合には、使用者の生体情報及び体動情報に基づいて使用者の状態が判断される。これによれば、生体情報に含まれる脈波及び脈拍数と、活動情報に含まれる使用者の体動を示す加速度変化とに基づいて、使用者の運動時の運動強度や運動時間を算出できる。そして、これら運動強度及び運動時間に基づいて、使用者によって実施された運動の程度を把握できる。このため、運動強度が比較的高く、比較的長い時間の運動を使用者が実施した場合には、運動能力向上に寄与する商品（上記運動能力向上用テーブルにて価格変動率が１を下回っている商品区分の商品）の提示価格を小売価格より安くすることにより、使用者の目的に応じた商品の購入、及び、更なる運動を促すことができる。従って、健康管理システム１の利用を更に促すことができる。
【０１４１】
ここで、脈波に基づく情報としては、脈波形及び脈拍数等が例示される。そして、当該脈拍数及び上記体動を示す加速度変化から、使用者が実施した運動の運動強度や、使用者の消費カロリー等を算出及び推定できる。従って、使用者情報に含まれる生体情報が使用者の脈波に基づく情報を含むことにより、使用者の様々な状態を把握できる。
【０１４２】
情報処理装置３は、ウェブサーバー６により生成されるウェブ店舗ＷＳのウェブページにて購入処理を実行する場合、上記管理サーバー７から送信出力された提示情報を含むウェブページ（例えば、上記提示画面ＷＰ）を表示する。また、店舗端末４及び自動販売機５も同様に、上記提示情報を表示する。これによれば、使用者は、自らの希望商品の提示価格を確実に把握できる。
【０１４３】
管理サーバー７は、受信された位置情報により示される使用者の現在位置に近い店舗（店舗ＳＴ及び自動販売機５）の取扱商品のうち、使用者情報に基づく使用者の状態に応じて価格が変動する上記価格変動商品の商品情報である価格変動商品情報を情報処理装置３に送信する。そして、情報処理装置３は、当該価格変動商品情報を含む価格変動商品表示画面ＤＳを表示する。これによれば、使用者が、現在位置に近い店舗にて取り扱われている上記価格変動商品を容易に把握できる。従って、使用者が店舗に訪問する前、又は、使用者が当該店舗にて商品を購入しようとする前に、上記価格変動商品を把握できる。
【０１４４】
管理サーバー７から送信されて情報処理装置３にて表示される価格変動商品表示画面ＤＳには、価格変動商品の商品情報の他、当該価格変動商品の提示価格が含まれる。これによれば、使用者が店舗を訪問する前、又は、使用者が当該店舗にて商品を購入しようとする前に、価格変動商品の提示価格（販売価格）を把握できる。従って、小売価格より提示価格が安い価格変動商品（例えば、使用者の状態を良化させる商品や、上記目的に応じた商品）に対する使用者の購買意欲を高めることができる他、小売価格より提示価格が高い価格変動商品（例えば、使用者の状態を悪化させる商品）の購買意欲を低減させることができる。
【０１４５】
上記健康管理システム１では、検出装置２が、使用者の生体情報及び体動情報を検出し、これら生体情報及び体動情報を情報処理装置３に送信する。これによれば、実際に検出された使用者の生体情報及び体動情報を用いて、情報処理装置３及び管理サーバー７が使用者の状態を判断できる。従って、使用者が自身の生体情報及び体動情報を入力する場合に比べて、使用者の状態の判断についての信頼性を向上できる他、これら情報を入力する手間を省略できる。更に、検出装置２が、検出された生体情報及び体動情報を情報処理装置３に逐次送信する構成であるので、当該情報処理装置３、ひいては、管理サーバー７が、リアルタイムにて使用者の状態を判断できる。
【０１４６】
［実施形態の変形］
本発明は、上記実施形態に限定されるものではなく、本発明の目的を達成できる範囲での変形、改良等は本発明に含まれるものである。
上記実施形態では、使用者情報に基づく使用者の状態に応じて、当該使用者の希望商品の価格（提示価格）を決定した。しかしながら、これに限らず、例えば、商品の購入に応じて付加される会員ポイントを、使用者の状態に応じて増減させてもよい。
上記実施形態では、価格変動情報として、小売価格に乗算される変動係数である価格変動率を例示した。しかしながら、本発明はこれに限らない。例えば、価格変動情報は、割引率及び割増率の少なくともいずれかであってもよく、また例えば、商品毎に設定される割引額又は割増額であってもよい。
【０１４７】
上記実施形態では、情報処理装置３、店舗端末４、自動販売機５及びウェブサーバー６と通信する管理サーバー７が、本発明の価格決定装置として機能して、情報処理装置３から受信される使用者情報と、店舗端末４、自動販売機５及びウェブサーバー６から受信される認証情報及び希望商品の商品情報（商品ＩＤ）とに基づいて、当該希望商品の提示価格を決定した。しかしながら、本発明はこれに限らない。例えば、店舗端末４、自動販売機５及びウェブサーバー６のそれぞれが、使用者情報に基づく使用者の状態に応じて、希望商品の提示価格（販売価格）を決定してもよい。この場合、店舗端末４、自動販売機５及びウェブサーバー６のうち、情報処理装置３と通信する商品販売装置ＰＳが、上記管理サーバー７の構成（例えば、記憶部７４及び制御部７５）並びに機能を有していてもよい。或いは、当該商品販売装置ＰＳが、小売価格情報を管理サーバー７から定期的に取得するとともに、管理サーバー７における制御部７５の構成（例えば、使用者状態解析部７５７及び価格決定部７５８）を有する構成としてもよい。
【０１４８】
上記実施形態では、管理サーバー７の記憶部７４には、上記データベースが記憶され、これらデータベースは、希望商品の提示価格の決定に際して参照されるとした。しかしながら、本発明はこれに限らない。例えば、使用者の状態に応じた計算式に基づいて、希望商品の提示価格を決定してもよい。
また、記憶部７４に記憶された各データベースの構造及びテーブルの構造は、上記に限らず、適宜変更可能である。このため、各テーブルに設定された項目の一部がなくてもよく、他の項目が追加されていてもよい。
【０１４９】
上記実施形態では、使用者情報には目的情報が含まれ、記憶部７４には、当該目的情報により示される目的に応じた目的別変動率テーブルが記憶されているとした。しかしながら、本発明はこれに限らない。すなわち、目的別変動率テーブルはなくてもよく、管理サーバー７は、状態別変動率テーブルに基づく希望商品の提示価格の決定のみが実行される構成であってもよい。逆に、状態別変動率テーブルはなくてもよく、管理サーバー７は、目的別変動率テーブルに基づく希望商品の提示価格の決定のみが実行される構成であってもよい。
【０１５０】
上記実施形態では、使用者の目的として「健康維持（ダイエット）」、「運動能力向上」及び「リハビリ」を例示した。しかしながら、本発明はこれに限らない。すなわち、他の目的を設定可能であってもよい。
また、上記目的が「健康維持（ダイエット）」である場合には、摂取カロリー及び消費カロリーを算出すべく、生体情報（脈拍数）、体動情報（加速度変化）及び食事情報が参照された。しかしながら、これに限らず、これら情報に代えて、或いは、加えて、他の情報が参照されてもよい。上記目的が「運動能力向上」及び「リハビリ」である場合も同様である。
【０１５１】
上記実施形態では、使用者情報には、生体情報及び体動情報が含まれるとした。しかしながら、本発明はこれに限らない。すなわち、生体情報及び体動情報が上記使用者情報に含まれなくてもよい。例えば、上記熱中症用テーブルの適用条件に、生体情報に含まれる発汗量に関する条件が設定されていたが、当該発汗量に関する条件はなくてもよい。
【０１５２】
上記実施形態では、管理サーバー７は、使用者によって操作される情報処理装置３からの要求に応じて、上記価格変動商品送信処理を実行し、価格変動商品表示画面ＤＳを情報処理装置３に表示させるとした。しかしながら、本発明はこれに限らない。すなわち、価格変動商品送信処理は実行されなくてもよく、価格変動商品表示画面ＤＳも表示されなくてもよい。
また、価格変動商品表示画面ＤＳには、商品の提示価格及び割引率（割増率）が含まれていた。しかしながら、これに限らず、使用者の現在の状態に応じて価格が変動する商品を特定可能な情報が含まれていればよい。すなわち、価格変動商品表示画面ＤＳのレイアウト及び内容は、適宜変更可能である。上記使用者情報登録画面ＲＳ、食事情報登録画面ＭＳ及び提示画面ＷＰも同様である。
【０１５３】
上記実施形態では、生体情報及び体動情報を検出する検出装置２と、情報処理装置３とは別構成とした。しかしながら、本発明はこれに限らない。すなわち。検出装置２と情報処理装置３とが一体化されていてもよい。
上記実施形態では、情報処理装置３は、使用者により携帯可能な携帯情報端末により構成されるとした。しかしながら、これに限らず、携帯に比較的向かない情報端末（例えばデスクトップ型ＰＣ）であってもよい。また、情報処理装置３は、例えば、店舗端末４とは別に上記店舗や各種公共機関等に設置され、ネットワークＮ上の機器（管理サーバー７等）と接続可能な端末装置であってもよい。この場合、例えば、使用者が当該端末装置を操作することによって、上記価格変動商品表示画面ＤＳ等の画面が表示されたり、使用者の状態や目的に応じた価格変動情報を含むクーポンが提示されたりしてもよい。この場合、使用者が当該クーポンを商品販売装置ＰＳに提示することによって、当該使用者が購入を希望する商品の価格が変更されてもよい。
【０１５４】
上記実施形態では、価格変動率は、使用者情報に基づく使用者の状態に応じて各変動率テーブルに予め設定されていた。この他、使用者により予め設定された運動や食事等の目標に対する達成度に応じて、価格変動率を設定してもよい。例えば、目標摂取カロリーに対する実際の摂取カロリーの割合や、目標運動量に対する実施運動量の割合に応じて、所定の商品区分の価格変動率を更に変化させる構成であってもよい。
【０１５５】
上記実施形態では、上記変動率テーブルには、「１．００」を超える価格変動率が設定された商品区分も存在した。しかしながら、これに限らず、「１．００」を超える価格変動率が設定される商品区分はなくてもよい。逆に、「１．００」を下回る価格変動率が設定された商品区分はなくてもよい。
【０１５６】
上記実施形態では、ＧＰＳ等の位置情報衛星から位置情報を受信して取得する受信部は、検出装置２が備えるとした。しかしながら、これに限らず、情報処理装置３が備えていてもよい。
また、検出装置２及び情報処理装置３は、検出された生体情報及び体動情報を解析する解析部２８６，３６６を有し、管理サーバー７は、使用者状態解析部７５７を有するとした。しかしながら、これに限らず、検出装置２に解析部２８６はなくてもよく、情報処理装置３に解析部３６６はなくてもよい。すなわち、使用者状態解析部７５７が、これら生体情報及び体動情報を解析してもよい。また、解析部２８６，３６６のいずれかが生体情報及び体動情報を解析し、管理サーバー７が、これら情報の解析処理を行わずに、当該解析部による解析結果に基づいて、希望商品の提示価格を決定する構成としてもよい。
上記実施形態では、使用者が使用する情報処理装置３は、携帯可能な情報端末であるとした。しかしながら、これに限らず、据置きの装置であってもよい。
【０１５７】
上記実施形態では、管理サーバー７は、上記位置情報により示される使用者の現在位置に最も近い店舗（店舗ＳＴ及び自動販売機５）の取扱商品のうち、使用者の状態に応じて価格が変動する価格変動商品の商品情報を、情報処理装置３に送信するとした。しかしながら、これに限らず、管理サーバー７は、当該現在位置を中心とする所定範囲内の店舗の取扱商品のうちの価格変動商品の商品情報を送信する構成としてもよい。また、このような店舗として、自動販売機５を除いてもよい。
【０１５８】
上記実施形態では、価格決定装置としての管理サーバー７は、店舗端末４、自動販売機５及びウェブサーバー６とともにＰＯＳシステムを構成する他、検出装置２及び情報処理装置３とともに健康管理システム１を構成するとした。しかしながら、これに限らず、管理サーバー７が有する機能は、他のシステムに適用してもよい。
【符号の説明】
【０１５９】
１…健康管理システム（価格決定システム）、２…検出装置、３…情報処理装置、７…管理サーバー（価格決定装置）、３２１…表示部、３６５…情報取得部（処理装置側使用者情報取得部、位置情報取得部）、３６７…情報送信部、７４…記憶部、７５５…使用者情報取得部、７５６…希望商品取得部、７５８…価格決定部、７６０…価格変動商品取得部、７６２…情報送信部（出力部、価格変動商品情報送信部）。
【図１】
2016099782.tif 000009
【図２】
2016099782.tif 000010
【図３】
2016099782.tif 000011
【図４】
2016099782.tif 000012
【図５】
2016099782.tif 000013
【図６】
2016099782.tif 000014
【図７】
2016099782.tif 000015
【図８】
2016099782.tif 000016
【図９】
2016099782.tif 000017
【図１０】
2016099782.tif 000018
【図１１】
2016099782.tif 000019
【図１２】
2016099782.tif 000020
【図１３】
2016099782.tif 000021
【図１４】
2016099782.tif 000022
【図１５】
2016099782.tif 000023
【図１６】
2016099782.tif 000024
【図１７】
2016099782.tif 000025
【図１８】
2016099782.tif 000026
【図１９】
2016099782.tif 000027